(57)【特許請求の範囲】
【請求項１】
遊技盤を有する遊技機本体と、
この遊技機本体に開閉可能に支持される前扉とを備えて、
この前扉を開くことにより前記遊技盤をその盤面側から開放し、前記前扉を閉じることにより前記遊技盤をその盤面側から覆うようにしてなるパチンコ遊技機において、
前記遊技機本体に前記遊技盤側から開閉可能に支持される固定枠と、この固定枠内に上下動可能に組み付けられる可動枠と、透明板を有し前記可動枠の上下動に応じて前後方向に変位可能となるように前記可動枠内に組み付けられる変位板部材とを具備するセキュリティ板と、
前記セキュリティ板を前記遊技機本体に対し解除可能にロックするロック機構とを備えており、
当該セキュリティ板の外周部には、前方へ突出するように装飾部品を設けてなり、
前記前扉は、前記装飾部品に対する対応部位にて、当該装飾部品を透視可能に構成されており、
前記セキュリティ板は、その少なくとも一部にて、前記ロック機構によりロックされた状態にて前記可動枠の上動或いは下動に応じて前記透明板と前記遊技盤との間に生ずる遊技球の球噛みの解消可能なように前記変位板部材を前方へ変位させることを特徴とするパチンコ遊技機。
【請求項２】
前記遊技盤は、その盤面にその少なくとも下側外周部に沿い上に凹な湾曲状となるように設けられる内レールと、球落下防止装置とを備えて、
この球落下防止装置は、
前記内レールの下側部位の下面に沿い前後方向に変位する球受けレールと、
前記セキュリティ板の前記少なくとも一部の前方への移動にあわせて、前記球受けレールを前記内レールの下側部位の下面に沿い前方へ移動させるように駆動する駆動機構とを具備することを特徴とする請求項１に記載のパチンコ遊技機。
【請求項３】
枠体と、当該枠体に組み付けてなる遊技盤とを有する遊技機本体と、
当該遊技機本体の前記枠体に開閉可能に支持される前扉とを備えて、
この前扉を開くことにより前記遊技盤をその盤面側から開放し、前記前扉を閉じることにより前記遊技盤をその盤面側から覆うようにしてなるパチンコ遊技機において、
前記遊技機本体と前記前扉との間に設けられるセキュリティ板と、
当該セキュリティ板の外周部に前方へ突出するように設けてなる装飾部品とを備えており、
前記セキュリティ板は、
前記遊技機本体の前記枠体に前記遊技盤側から開閉可能に支持される保持枠と、透明板を有して前記保持枠内に前後方向に変位可能に保持される変位板部材と、
当該変位板部材を前記遊技機本体に解除可能にロックするロック機構と、
変位機構とを具備しており、
前記前扉は、前記装飾部品に対する対応部位にて、当該装飾部品を透視可能に構成されており、
前記変位機構は、
操作により一方向或いは他方向へ回動する駆動機構部と、
前記保持枠の上壁にその内面に沿うように支持されて当該上壁に設けた上側ばね部材に抗して前記変位板部材の上部を前方へ変位させ、或いは前記上側ばね部材の付勢のもとに前記変位板部材の上部を後方へ変位させるように回動する上側回動カム機構部と、
前記保持枠の下壁にその内面に沿うように支持されて当該下壁に設けた下側ばね部材に抗して前記変位板部材の下部を前方へ変位させ、或いは前記下側ばね部材の付勢のもとに前記変位板部材の下部を後方へ変位させるように回動する下側回動カム機構部と、
前記保持枠の上下方向壁にその内面に沿うように支持されて前記駆動機構部の前記一方向への回動に応じて前記変位板部材の前記上下両壁を前方へ変位させるように前記一方向への回動を前記上下両側回動カム機構部に伝達するように回動し、或いは前記駆動機構部の前記他方向への回動に応じて前記変位板部材の前記上下両壁を後方へ変位させるべく前記他方向への回動を前記上下両側回動カム機構部に伝達するように回動する回動伝達機構部とを備えており、
前記セキュリティ板は、前記ロック機構によりロックされた状態にて、前記変位機構により、前記上側回動カム機構部及び前記下側回動カム機構部でもって、前記変位板部材を前方へ変位可能にすることを特徴とするパチンコ遊技機。
【請求項４】
遊技盤を有する遊技機本体と、
この遊技機本体に開閉可能に支持される前扉とを備えて、
この前扉を開くことにより前記遊技盤をその盤面側から開放し、前記前扉を閉じることにより前記遊技盤をその盤面側から覆うようにしてなるパチンコ遊技機において、
前記遊技機本体と前記前扉との間に設けられるセキュリティ板を備えており、
このセキュリティ板は、
前記遊技機本体に前記遊技盤側から開閉可能に支持される保持枠と、
透明板を有して前記保持枠内に前後方向に変位可能に保持される変位板部材と、
当該変位板部材を前記保持枠内にて前方へ押し出すようにして変位させ、また、前記変位板部材を前記保持枠内にて後方へ付勢するようにして変位させる変位機構と、
前記変位板部材を前記遊技機本体に解除可能にロックするロック機構とを具備しており、
前記セキュリティ板の外周部には、前方へ突出するように装飾部品を設けてなり、
前記前扉は、前記装飾部品に対する対応部位にて、当該装飾部品を透視可能に構成されており、
前記セキュリティ板は、前記ロック機構によりロックされた状態にて、前記変位機構により、前記変位板部材を前方へ押し出すようにして変位可能となっていることを特徴とするパチンコ遊技機。
【請求項５】
前記遊技機本体は、前記遊技盤を組み付けてなる枠体を備えており、
前記変位機構は、
操作により一方向或いは他方向へ回動する駆動機構部材と、
前記保持枠の上壁と前記変位板部材の上壁との間に沿うように介装されて前記保持枠の前記上壁にその下側へ間隔をおいて上下動可能に支持される上側案内部材と、
前記保持枠の下壁と前記変位板部材の下壁との間に沿うように介装されて前記保持枠の前記下壁にその上側へ間隔をおいて上下動可能に支持される下側案内部材と、
前記保持枠の上下方向壁の一方に前記保持枠の内側から沿うように上下動可能に支持される上下動機構部材とを具備して、
当該上下動機構部材は、前記駆動機構部材の前記一方向への回動に応じて前記上下両側案内部材を前記変位板部材に向けて移動させて当該変位板部材を前方へ押し出すように変位させ、また、前記駆動機構部材の前記他方向への回動に応じて前記上下両側案内部材を互いに離れる方向に移動させて前記変位板部材を後方へ変位させるようにしたことを特徴とする請求項４に記載のパチンコ遊技機。
【請求項６】
前記上下動機構部材は、前記保持枠の前記上下方向壁の一方に前記保持枠の内側から沿うように上下動可能に支持される上下方向ラックであって前記上下方向壁の一方の上下方向中間部位に対向する一側歯部及び前記上下方向壁の一方の上部とは逆方向を臨む他側歯部を設けてなる上下方向ラックと、
この上下方向ラックの前記他側歯部に噛合するように回動可能に支持されるピニオンとを具備し、
前記駆動軸部材は、前記上下方向ラックの前記一側歯部に噛合するように回動可能に支持されるピニオンであってその一方向或いは他方向への回動に伴い前記上下方向ラックを上方或いは下方へ移動させるピニオンを有し、
前記上側案内部材は、前記保持枠の前記上壁にその下側へ間隔をおいて上下動可能に支持される横方向ラックであって前記変位板部材の前記上壁に対向するように上側前方から下側後方に向けて傾斜する傾斜面を形成した案内壁及び前記上下方向ラックの前記ピニオンに噛合する歯部を設けてなる横方向ラックを具備し、
前記下側案内部材は、前記上下方向ラックの下端部から前記横方向ラックに対向するように横方向に延出する横方向ラックであって前記変位板部材の前記下壁に対向するように下側前方から下側後方に向けて傾斜する傾斜面を形成した案内壁を設けてなる横方向ラックを具備し、
前記変位板部材は、その上壁及び下壁からそれぞれ後方へ突設される上下両側突出壁であって前記上下両側案内部材の前記各案内壁の傾斜面にそれぞれ摺接するように形成した各傾斜面を有する上下両側突出壁を設けてなり、
前記保持枠は、前記変位板部材を引きつけるように付勢する付勢手段を有しており、
前記上下動機構部材は、前記駆動機構部材の前記ピニオンの前記一方向への回動に応じて前記上下両側案内部材を前記変位板部材に向けて移動させて前記上下両側案内部材の前記各案内壁の前記傾斜面にて前記変位板部材の前記上下両側突出壁の各傾斜面に摺接しながら前記変位板部材を前記付勢手段に抗して前方へ押し出すように変位させ、また、前記駆動機構部材の前記他方向への回動に応じて前記上下両側案内部材を互いに離れる方向へ移動させて前記付勢手段の付勢のもとに前記保持枠の前記上下両側突出壁の各傾斜面にて前記上下両側案内部材の前記各案内壁の前記傾斜面に摺接しながら前記変位板部材を後方へ変位させるようにしたことを特徴とする請求項４または５に記載のパチンコ遊技機。
【請求項７】
前記遊技盤は、その盤面にその少なくとも下側外周部に沿い上に凹な湾曲状となるように設けられる内レールと、球落下防止装置とを備えて、
この球落下防止装置は、
前記内レールの下側部位の下面に沿い前後方向に変位する球受けレールと、
前記セキュリティ板の前記変位板部材の前方への移動にあわせて、前記球受けレールを前記内レールの下側部位の下面に沿い前方へ移動させるように駆動する駆動機構とを具備することを特徴とする請求項３〜６のいずれか１つに記載のパチンコ遊技機。
【発明の詳細な説明】
【技術分野】
【０００１】
本発明は、パチンコ遊技機に係り、特に、遊技盤を有する遊技機本体と、この遊技機本体にその遊技盤を介し開閉可能に支持される前扉とを備えてなるパチンコ遊技機に関する。
【背景技術】
【０００２】
従来、この種のパチンコ遊技機においては、下記特許文献１に記載のパチンコ遊技機が提案されている。このパチンコ遊技機の遊技盤の盤面には、始動入賞口装置や大入賞口装置等の遊技球の払い出しに関与する種々の役物が設けられている。
【０００３】
ここで、前扉は、閉じたとき遊技盤を覆うことで、一応、上述の種々の役物を保護する役割を果たしている。
【先行技術文献】
【特許文献】
【０００４】
【特許文献１】特開２００９−２９１５２０号公報
【発明の概要】
【発明が解決しようとする課題】
【０００５】
ところで、上記パチンコ遊技機において、隙間が、前扉と遊技機本体との間に僅かでも存在すると、この隙間を介して前扉と遊技機本体との間にピアノ線などを挿入して役物を不正に動作させることで、多数の遊技球を獲得するという不正行為（所謂ゴト行為）が行われるおそれがある。
【０００６】
このような不正行為を防止する方策としては、セキュリティ板を遊技機本体と前扉の間にて上記隙間をなくするように遊技機本体にその盤面側から装着することが考えられる。
【０００７】
しかしながら、このようにセキュリティ板を装着すると、遊技盤とセキュリティ板との間隙が狭くなりすぎて、遊技球が、遊技盤とセキュリティ板との間に移動不能に挟まれるといういわゆる球噛みが発生するおそれがある。
【０００８】
また、パチンコ遊技機では、一般的に、前扉に電飾部品等の装飾部品を設けることで、演出効果を高めることが行われている。ここで、パチンコ遊技機において、遊技盤は定期的に交換されるものの、前扉は交換されることなくそのまま維持されることが通常である。これでは、パチンコ遊技機としての装飾部品による演出効果を遊技盤の交換にあわせてさらに高めることはできない。
【０００９】
そこで、本発明は、以上のようなことに対処するため、装飾部品を設けてなるセキュリティ板を遊技機本体に前扉の間にて開閉可能に支持するとともに、当該セキュリティ板の構成に球噛みを解消し得るように工夫を凝らし、球噛みを解消可能で不正行為の防止可能なパチンコ遊技機を提供することを目的とする。
【課題を解決するための手段】
【００１７】
上記課題の解決にあたり、本発明に係るパチンコ遊技機は、請求項１の記載によれば、
遊技盤（Ｐ）を有する遊技機本体（Ｈ、Ｐ）と、
この遊技機本体に開閉可能に支持される前扉（Ｄ）とを備えて、
この前扉を開くことにより遊技盤をその盤面側から開放し、前扉を閉じることにより遊技盤をその盤面側から覆うようにしてなるものである。
当該パチンコ遊技機において、
遊技機本体に遊技盤側から開閉可能に支持される固定枠（６１）と、この固定枠内に上下動可能に組み付けられる可動枠（６２）と、透明板（６４）を有し上記可動枠の上下動に応じて前後方向に変位可能となるように上記可動枠内に組み付けられる変位板部材（６３）とを具備するセキュリティ板（Ｓ）と、
セキュリティ板を遊技機本体に対し解除可能にロックするロック機構（４３）とを備えており、
当該セキュリティ板の外周部には、前方へ突出するように装飾部品（６０ａ）を設けてなり、
前扉は、装飾部品に対する対応部位にて、当該装飾部品を透視可能に構成されており、
セキュリティ板は、その少なくとも一部にて、ロック機構によりロックされた状態にて上記可動枠の上動或いは下動に応じて上記透明板と遊技盤との間に生ずる遊技球の球噛みの解消可能なように変位板部材を前方へ変位させることを特徴とする。
【００１８】
これによれば、セキュリティ板が、遊技機本体と前扉との間に開閉可能に支持されている。このため、セキュリティ板を遊技機本体に閉じたとき、当該セキュリティ板と遊技機本体との間には隙間が形成されない。従って、遊技機本体と前扉との間に隙間が生じているために当該隙間からピアノ線等を挿入させ得たとしても、上述のようにセキュリティ板を遊技機本体に閉じることによって、当該ピアノ線等を、セキュリティ板と遊技機本体との間にまで挿入することは困難である。
【００１９】
よって、上記ピアノ線等は、遊技盤の盤面には到達し得ず、その結果、ピアノ線などによる不正行為を未然に防止することができる。
【００２０】
また、セキュリティ板は、閉じたとき、ロック機構によりロックされるので、セキュリティ板を自由に開けることはできない。このため、当該パチンコ遊技機のセキュリティが向上する。
【００２１】
また、遊技球の球噛みが遊技盤とセキュリティ板の透明板との間で発生した場合には、前扉を閉じかつセキュリティ板をロックしたままで、可動枠を上動或いは下動させて変位板部材を球噛みの解消可能に前進させるようにしたので、前扉及びセキュリティ板を開くことなく上記球噛みを解消し得ることとなり、便利である。このとき、セキュリティ板は上述のごとくロックしたままであるから、当該パチンコ遊技機のセキュリティは、上記球噛みの解消前と同様に向上する。
【００２２】
また、装飾部品が、上述のごとく、セキュリティ板の外周部に設けられているが、その根拠に言及すれば、パチンコ遊技機では、一般的に、前扉に電飾部品等の装飾部品を設けることで、演出効果を高めることが行われている。
ここで、パチンコ遊技機において、遊技盤は定期的に交換されるものの、前扉は交換されることなくそのまま維持されることが通常である。これでは、パチンコ遊技機としての装飾部品による演出効果を遊技盤の交換にあわせてさらに高めることはできない。
このため、装飾部品を前扉ではなく、セキュリティ板に設けることで、セキュリティ板を遊技盤と共に交換すれば、この交換毎に、パチンコ遊技機としての装飾部品による演出効果を新たに高めることができる。このような演出効果は、前扉の装飾部品に対する透視可能な部位を通して視認できるので、演出効果の視認にあたり特に支障はない。
【００２３】
なお、遊技盤の盤面は、セキュリティ板を通して視認可能となっているので、前扉から盤面を視認することに特に支障は生じない。また、セキュリティ板は、ロック機構の遊技機本体に対するロックを解除すれば、セキュリティ板を遊技機本体から開くことができる。
【００２４】
また、請求項１に記載の発明において、次のように構成してもよい。
【００２５】
即ち、遊技機本体は、遊技盤を組み付けてなる枠体（Ｈ）を備えており、
セキュリティ板において、上記固定枠は、その上壁右端部にて、上下方向及び前方に向けた開口するように切り欠き形成された切り欠き部（６１ｅ）を備えて、上記枠体に遊技盤側から開閉可能に支持されており、
上記可動枠は、その上壁右端部から上記切り欠き部内に下方から進入可能に上方へ突出する係合突部（６１ｌ）を備えており、
ロック機構は、上記枠体の上壁右端部から上下方向に傾動可能となるように延出されるロックレバーであってその延出端部から上記固定枠の前記切り欠き部内に上方から進入可能に下方に向けて延出するフック部（４３ｄ）を設けてなるロックレバー（４３ａ）と、このロックレバーを下方に向けて傾動するように付勢するばね部材（４３ｃ）とを備えて、セキュリティ板を閉じたとき当該セキュリティ板を上記枠体にロックさせるように上記ばね部材の付勢のもとに上記ロックレバーをそのフック部にて上記固定枠の上記切り欠き部内に上方から進入させて係止させ、
また、セキュリティ板の上記枠体とのロックを解除するように上記可動枠の上動により上記係合突部を上記切り欠き部内にその下方から進入させて上記フック部を介し上記ロックレバーを上記ばね部材に抗して上方へ傾動させるようにしてもよい。
【００２６】
このような構成によれば、セキュリティ板のロック及びその解除がロック機構により確実になされることから、請求項１に記載の発明の作用効果をより一層確実に達成することができる。
【００２７】
また、このような構成において、セキュリティ板において、変位板部材は、上記可動枠の右壁の上下方向中間部位に後側上方から前側下方に向けて形成した傾斜状長穴部（６２ｅ）に相対移動可能に挿入される案内ピン（６３ｇ）を設けてなり、
変位板部材を、上記可動枠の上動に応じて、上記案内ピンにより上記可動枠の上記傾斜状長穴部に沿い案内されて前進するようにしてもよい。
【００２８】
このような構成によれば、変位板部材が可動枠の上動に応じて案内ピンにより可動枠の傾斜状長穴部に沿い案内されて前進することで、セキュリティ板と遊技盤との間に生ずる球噛みが、確実に解消され得る。
【００２９】
また、本発明は、請求項２の記載によれば、請求項１に記載のパチンコ遊技機において、
遊技盤は、その盤面にその少なくとも下側外周部に沿い上に凹な湾曲状となるように設けられる内レール（３４）と、球落下防止装置（ＢＣ）とを備えて、
この球落下防止装置は、
上記内レールの下側部位の下面に沿い前後方向に変位する球受けレール（１００ａ）と、
セキュリティ板の上記少なくとも一部の前方への移動にあわせて、上記球受けレールを上記内レールの下側部位の下面に沿い前方へ移動させるように駆動する駆動機構（１００ｂ）とを具備することを特徴とする。
【００３０】
このように、上述のように構成した球落下防止装置を遊技盤に設けるようにしたので、遊技球の球噛みがセキュリティ板と遊技盤の盤面との間に生じたとき、球落下防止装置は、セキュリティ板の変位板部材の前方への移動にあわせて、駆動機構による駆動のもと、球受けレールを、内レールの下側部位の下面に沿い前方へ移動させる。
【００３１】
このため、遊技球がセキュリティ板の変位板部材の前方への移動に伴い球噛みから解消されて落下しても、当該遊技球は、内レールの下方へ落下することなく、球受けレールにより確実に受け止められて、内レールの上面を通り当該内レールの下端部直上に位置するアウト口を通して排出され得る。
【００３２】
また、本発明に係るパチンコ遊技機は、請求項３の記載によれば、
枠体（Ｈ）と、当該枠体に組み付けてなる遊技盤（Ｐ）とを有する遊技機本体と、
当該遊技機本体の枠体に開閉可能に支持される前扉（Ｄ）とを備えて、
この前扉を開くことにより遊技盤をその盤面（３１）側から開放し、前扉を閉じることにより遊技盤をその盤面側から覆うようにしてなるものである。
当該パチンコ遊技機において、
遊技機本体と前扉との間に設けられるセキュリティ板（Ｓａ）と、
当該セキュリティ板の外周部に前方へ突出するように設けてなる装飾部品（６０ａ）とを備えており、
セキュリティ板は、
遊技機本体の枠体に遊技盤側から開閉可能に支持される保持枠（１６１）と、透明板（１６４）を有して上記保持枠内に前後方向に変位可能に保持される変位板部材（１６２）と、
当該変位板部材を遊技機本体に解除可能にロックするロック機構（Ｂ２）と、
変位機構（Ｂ１）とを具備しており、
前扉は、装飾部品に対する対応部位にて、当該装飾部品を透視可能に構成されており、
変位機構は、
操作により一方向或いは他方向へ回動する駆動機構部（Ｂａ）と、
上記保持枠の上壁（１６１ａ）にその内面に沿うように支持されて当該上壁に設けた上側ばね部材（１６１ｇ）に抗して変位板部材の上部を前方へ変位させ、或いは上記上側ばね部材の付勢のもとに変位板部材の上部を後方へ変位させるように回動する上側回動カム機構部（Ｂｃ）と、
上記保持枠の下壁（１６１ｄ）にその内面に沿うように支持されて当該下壁に設けた下側ばね部材（１６１ｇ）に抗して変位板部材の下部を前方へ変位させ、或いは上記下側ばね部材の付勢のもとに変位板部材の下部を後方へ変位させるように回動する下側回動カム機構部（Ｂｄ）と、
上記保持枠の上下方向壁（１６１ｂ、１６１ｃ）にその内面に沿うように支持されて上記駆動機構部の上記一方向への回動に応じて変位板部材の上記上下両壁を前方へ変位させるように上記一方向への回動を上記上下両側回動カム機構部に伝達するように回動し、或いは上記駆動機構部の上記他方向への回動に応じて変位板部材の上記上下両壁を後方へ変位させるべく上記他方向への回動を上記上下両側回動カム機構部に伝達するように回動する回動伝達機構部とを備えており、
セキュリティ板は、ロック機構によりロックされた状態にて、変位機構により、上記上側回動カム機構部及び上記下側回動カム機構部でもって、変位板部材を前方へ変位可能にすることを特徴とする。
【００３３】
これによれば、セキュリティ板が、遊技機本体と前扉との間に開閉可能に支持されているから、セキュリティ板を閉じたとき、当該セキュリティ板と遊技機本体との間には隙間が形成されない。
【００３４】
このため、遊技機本体と前扉との間の隙間からピアノ線等を挿入させ得たとしても、当該ピアノ線等を、セキュリティ板と遊技機本体との間にまで挿入することは困難である。従って、上記ピアノ線等は、遊技盤の盤面には到達し得ず、その結果、上述のような不正行為を未然に防止することができる。
【００３５】
また、セキュリティ板は、閉じたとき、ロック機構によりロックされるので、セキュリティ板を自由に開けることはできない。このため、当該パチンコ遊技機のセキュリティが向上する。
【００３６】
また、遊技球の球噛みが遊技盤とセキュリティ板の透明板との間で発生した場合には、前扉を閉じかつセキュリティ板をロックしたままで、回動伝達機構部からの回動を回動伝達機構部によりその回動でもって上側回動カム機構部及び下側回動カム機構部に伝達して、変位板部材を、球噛みの解消可能に保持枠内にて前方へ変位させるので、前扉及びセキュリティ板を開くことなく、より一層具体的に球噛みを解消し得る。
【００３７】
このとき、セキュリティ板は上述のごとくロックしたままであるから、当該パチンコ遊技機のセキュリティは、上記球噛みの解消前と同様に向上する。
【００３８】
また、装飾部品が、上述のごとく、セキュリティ板の外周部に設けられているから、請求項１に記載の発明と同様に、装飾部品を前扉ではなく、セキュリティ板に設けることで、セキュリティ板を遊技盤と共に交換すれば、この交換毎に、パチンコ遊技機としての装飾部品による演出効果を新たに高めることができる。このような演出効果は、前扉の装飾部品に対する透視可能な部位を通して視認できるので、演出効果の視認にあたり特に支障はない。なお、遊技盤の盤面は、セキュリティ板の透明板を通して視認可能であるので、前扉から盤面を視認することに特に支障は生じない。
【００４１】
また、請求項３に記載の発明において、次のように構成してもよい。
【００４２】
即ち、ロック機構は、
変位板部材の上記保持枠に支持されて上記回動伝達機構部から上記一方向或いは他方向への回動の伝達を受けて回動する回動部材（１９１）と、
この回動部材に同軸的に支持されて上記枠体の一部に設けた係止部材（４１ｃ）に係止するように回動し、或いは当該係止部材から解離するように回動するロックレバー（１９２）とを備えて、
当該ロックレバーの上記係止部材に対する係止によりセキュリティ板を上記枠体にロックし、このロックをロックレバーの上記係止部材からの解離により解除するようにしてもよい。
【００４３】
このような構成によれば、セキュリティ板のロック及びその解除がロック機構により確実になされることから、請求項３に記載の発明の作用効果をより一層確実に達成することができる。
【００４４】
また、本発明に係るパチンコ遊技機は、請求項４の記載によれば、
遊技盤（Ｐ）を有する遊技機本体（Ｈ、Ｐ）と、
この遊技機本体に開閉可能に支持される前扉（Ｄ）とを備えて、
この前扉を開くことにより遊技盤をその盤面（３１）側から開放し、前扉を閉じることにより遊技盤をその盤面側から覆うようにしてなるものである。
当該パチンコ遊技機において、
遊技機本体と前扉との間に設けられるセキュリティ板（Ｓｂ）を備えており、
このセキュリティ板は、
遊技機本体に遊技盤側から開閉可能に支持される保持枠（２６１）と、
透明板（２６４）を有して上記保持枠内に前後方向に変位可能に保持される変位板部材（２６２）と、
当該変位板部材を上記保持枠内にて前方へ押し出すようにして変位させ、また、変位板部材を上記保持枠内にて後方へ付勢するようにして変位させる変位機構（ＲＰ１）と、
変位板部材を遊技機本体に解除可能にロックするロック機構（ＲＰ２）とを具備しており、
セキュリティ板の外周部には、前方へ突出するように装飾部品（１６０ａ）を設けてなり、
前扉は、装飾部品に対する対応部位にて、当該装飾部品を透視可能に構成されており、
セキュリティ板は、ロック機構によりロックされた状態にて、変位機構により、変位板部材を前方へ押し出すようにして変位可能となっていることを特徴とする。
【００４５】
これによれば、セキュリティ板が、遊技機本体と前扉との間に開閉可能に支持されているから、セキュリティ板を閉じたとき、当該セキュリティ板と遊技機本体との間には隙間が形成されない。このため、遊技機本体と前扉との間の隙間からピアノ線等を挿入させ得たとしても、当該ピアノ線等を、セキュリティ板と遊技機本体との間にまで挿入することは困難である。
【００４６】
従って、上記ピアノ線等は、遊技盤の盤面には到達し得ず、その結果、上述のような不正行為を未然に防止することができる。
【００４７】
また、セキュリティ板は、閉じたとき、ロック機構によりロックされるので、セキュリティ板を自由に開けることはできない。このため、当該パチンコ遊技機のセキュリティが向上する。
【００４８】
また、遊技球の球噛みが遊技盤とセキュリティ板の透明板との間で発生した場合には、前扉を閉じかつセキュリティ板をロックしたままで、変位板部材を変位機構により球噛みの解消可能に保持枠内にて前方へ押し出すようにして変位させることで、前扉及びセキュリティ板を開くことなく上記球噛みを解消し得ることとなり、便利である。
【００４９】
このとき、セキュリティ板は上述のごとくロックしたままであるから、当該パチンコ遊技機のセキュリティは、上記球噛みの解消前と同様に向上する。
【００５０】
また、装飾部品が、上述のごとく、セキュリティ板の外周部に設けられているから、請求項１に記載の発明と同様に、装飾部品を前扉ではなく、セキュリティ板に設けることで、セキュリティ板を遊技盤と共に交換すれば、この交換毎に、パチンコ遊技機としての装飾部品による演出効果を新たに高めることができる。このような演出効果は、前扉の装飾部品に対する透視可能な部位を通して視認できるので、演出効果の視認にあたり特に支障はない。なお、遊技盤の盤面は、セキュリティ板の透明板を通して視認可能であるので、前扉から盤面を視認することに特に支障は生じない。
【００５１】
また、本発明は、請求項５の記載によれば、請求項４に記載のパチンコ遊技機において、
遊技機本体は、遊技盤を組み付けてなる枠体（Ｈ）を備えており、
変位機構は、
操作により一方向或いは他方向へ回動する駆動機構部材（ＲＰａ）と、
上記保持枠の上壁（２６１ａ）と変位板部材の上壁（２６３ｃ）との間に沿うように介装されて上記保持枠の上記上壁にその下側へ間隔をおいて上下動可能に支持される上側案内部材（ＲＰｃ）と、
上記保持枠の下壁（２６１ｄ）と変位板部材の下壁（２６３ｄ）との間に沿うように介装されて上記保持枠の上記下壁にその上側へ間隔をおいて上下動可能に支持される下側案内部材（ＲＰｄ）と、
上記保持枠の上下方向壁（２６１ｂ、２６１ｃ）の一方に上記保持枠の内側から沿うように上下動可能に支持される上下動機構部材（ＲＰｂ）とを具備して、
当該上下動機構部材は、駆動機構部材の上記一方向への回動に応じて上下両側案内部材を変位板部材に向けて移動させて当該変位板部材を前方へ押し出すように変位させ、また、駆動機構部材の上記他方向への回動に応じて上下両側案内部材を互いに離れる方向に移動させて変位板部材を後方へ変位させるようにしたことを特徴とする。
【００５２】
これによれば、遊技球の球噛みが遊技盤とセキュリティ板の透明板との間で発生した場合には、前扉を閉じかつセキュリティ板をロックしたままで、上下動機構部材が、駆動機構部材の上記一方向への回動に応じて上下両側案内部材を変位板部材に向けて移動させて当該変位板部材を前方へ押し出すように変位させるので、前扉及びセキュリティ板を開くことなく、より一層具体的に球噛みを解消し得る。
【００５３】
また、請求項４または５に記載の発明において、ロック機構は、駆動機構部材に同軸的に支持されて当該駆動機構部材の上記一方向への回動或いは上記他方向への回動に応じて上記枠体の一部に設けた係止部材（４１ｃ）に係止するように回動し或いは当該係止部材から解離するように回動するロックレバー（２７４）を具備して、
当該ロックレバーの上記係止部材に対する係止によりセキュリティ板を上記枠体にロックし、このロックをロックレバーの上記係止部材からの解離により解除するようにしてもよい。
【００５４】
このような構成によれば、セキュリティ板のロック及びその解除がロック機構により確実になされることから、請求項４または５に記載の発明の作用効果をより一層確実に達成することができる。
【００５５】
また、本発明は、請求項６の記載によれば、請求項４または５に記載のパチンコ遊技機において、
上下動機構部材は、上記保持枠の上記上下方向壁の一方に上記保持枠の内側から沿うように上下動可能に支持される上下方向ラックであって上記上下方向壁の一方の上下方向中間部位に対向する一側歯部（２７２ａ）及び上記上下方向壁の一方の上部とは逆方向を臨む他側歯部（２７２ｈ）を設けてなる上下方向ラック（２７２）と、
この上下方向ラックの上記他側歯部に噛合するように回動可能に支持されるピニオン（２８１）とを具備し、
駆動軸部材は、上記上下方向ラックの上記一側歯部に噛合するように回動可能に支持されるピニオンであってその一方向或いは他方向への回動に伴い上記上下方向ラックを上方或いは下方へ移動させるピニオン（２７１）を有し、
上側案内部材は、上記保持枠の上記上壁にその下側へ間隔をおいて上下動可能に支持される横方向ラックであって変位板部材の上記上壁に対向するように上側前方から下側後方に向けて傾斜する傾斜面（２９１）を形成した案内壁（２９０Ａ）及び上下方向ラックのピニオンに噛合する歯部（２８２ｃ）を設けてなる横方向ラック（２８２）を具備し、
下側案内部材は、上下方向ラックの下端部から横方向ラックに対向するように横方向に延出する横方向ラックであって変位板部材の上記下壁に対向するように下側前方から下側後方に向けて傾斜する傾斜面（２９２）を形成した案内壁（２９０Ｂ）を設けてなる横方向ラック（２７２ｃ、２９０Ｂ）を具備し、
変位板部材は、その上壁及び下壁からそれぞれ後方へ突設される上下両側突出壁であって上下両側案内部材の上記各案内壁の傾斜面にそれぞれ摺接するように形成した各傾斜面（２６３ｈ、２６３ｊ）を有する上下両側突出壁（２６３ｉ、２６３ｋ）を設けてなり、
上記保持枠は、変位板部材を引きつけるように付勢する付勢手段（２６１ｇ）を有しており、
上下動機構部材は、駆動機構部材のピニオンの上記一方向への回動に応じて上下両側案内部材を変位板部材に向けて移動させて上下両側案内部材の上記各案内壁の上記傾斜面にて変位板部材の上記上下両側突出壁の各傾斜面に摺接しながら変位板部材を付勢手段に抗して前方へ押し出すように変位させ、また、駆動機構部材の上記他方向への回動に応じて上下両側案内部材を互いに離れる方向へ移動させて付勢手段の付勢のもとに上記保持枠の上記上下両側突出壁の各傾斜面にて上下両側案内部材の上記各案内壁の上記傾斜面に摺接しながら変位板部材を後方へ変位させるようにしたことを特徴とする。
【００５６】
このような構成によれば、上下動機構部材が、駆動機構部材のピニオンの上記一方向への回動に応じて上下両側案内部材を変位板部材に向けて移動させて上下両側案内部材の上記各案内壁の上記傾斜面にて変位板部材の上記上下両側突出壁の各傾斜面に摺接しながら変位板部材を付勢手段に抗して前方へ押し出すように変位させることで、セキュリティ板をロックしたままにて、変位板部材を前方へ変位させ得る。これにより、透明板と遊技盤の盤面との間に生ずる球噛みの解消がより一層確実になされ得る。
【００５７】
また、このような球噛みの解消後は、上下動機構部材が、駆動機構部材の上記他方向への回動に応じて上下両側案内部材を互いに離れる方向へ移動させて付勢手段の付勢のもとに保持枠の上記上下両側突出壁の各傾斜面にて上下両側案内部材の上記各案内壁の上記傾斜面に摺接しながら変位板部材を後方へ変位させることで、セキュリティ板をロックしたままにて変位板部材を原位置に戻すことができる。
【００５８】
また、本発明は、請求項７の記載によれば、請求項３〜６のいずれか１つに記載のパチンコ遊技機において、
遊技盤は、その盤面にその少なくとも下側外周部に沿い上に凹な湾曲状となるように設けられる内レール（３４）と、球落下防止装置（ＢＣ）とを備えて、
この球落下防止装置は、
内レールの下側部位の下面に沿い前後方向に変位する球受けレール（１００ａ）と、
セキュリティ板の変位板部材の前方への移動にあわせて、球受けレールを内レールの下側部位の下面に沿い前方へ移動させるように駆動する駆動機構（１００ｂ）とを具備することを特徴とする。
【００５９】
このように、上述のように構成した球落下防止装置を遊技盤に設けるようにしたので、遊技球の球噛みがセキュリティ板と遊技盤の盤面との間に生じたとき、球落下防止装置は、セキュリティ板の変位板部材の前方への移動にあわせて、駆動機構による駆動のもと、球受けレールを、内レールの下側部位の下面に沿い前方へ移動させる。
【００６０】
このため、遊技球がセキュリティ板の変位板部材の前方への移動に伴い球噛みから解消されて落下しても、当該遊技球は、内レールの下方へ落下することなく、球受けレールにより確実に受け止められて、内レールの上面を通り当該内レールの下端部直上に位置するアウト口を通して排出され得る。
【発明の効果】
【００６１】
本発明によれば、前扉と遊技機本体との間に隙間が生じていても、セキュリティ板を遊技機本体に閉じることによって、当該セキュリティ板により遊技盤をその盤面側から覆って保護することとなる。従って、ピアノ線などをセキュリティ板と遊技盤の盤面との間に挿入し得なくなる。その結果、ピアノ線などによる不正行為を確実に防止し得る。
【００６２】
また、セキュリティ板は、上述のごとく、その少なくとも一部にて、遊技盤の上記盤面に対し前後方向へ移動可能となるように構成されているため、セキュリティ板と遊技盤との間に球噛みが発生しても、セキュリティ板の少なくとも一部を前方へ移動させるのみで、当該セキュリティ板の少なくとも一部と盤面との間隙を拡大させることができ、その結果、上述の球噛みが容易に解消され得る。
【００６３】
また、装飾部品を、前扉ではなく、セキュリティ板に設けることで、セキュリティ板を遊技盤と共に交換すれば、この交換毎に、パチンコ遊技機としての装飾部品による演出効果を新たに高めることができる。
【００６４】
なお、上記各手段の括弧内の符号は、後述する実施形態に記載の具体的手段との対応関係を示す。
【図面の簡単な説明】
【００６５】
【図１】本発明に係るパチンコ遊技機の第１実施形態を、キー及び工具を前扉の施錠装置及び工具挿入穴部にそれぞれ挿入した状態にて示す正面図である。
【図２】図１のパチンコ遊技機の側面図である。
【図３】図１のパチンコ遊技機の平面図である。
【図４】第１実施形態において、図１にてセキュリティ板が原位置にあるときの４−４線に沿う断面図である。
【図５】図４にてセキュリティ板が前進位置に移動した状態を示す断面図である。
【図６】第１実施形態における前扉の分解斜視図である。
【図７】第１実施形態におけるパチンコ遊技機の分解斜視図である。
【図８】第１実施形態におけるセキュリティ板の分解斜視図である。
【図９】第１実施形態において球噛み解消のための操作を説明するためのパチンコ遊技機の半断面斜視図である。
【図１０】第１実施形態において球噛み解消のための操作を説明するためのパチンコ遊技機の半断面斜視図である。
【図１１】第１実施形態においてセキュリティ板を開く操作を説明するためのパチンコ遊技機の半断面斜視図である。
【図１２】第１実施形態においてセキュリティ板を開いた状態を示すパチンコ遊技機の斜視図である。
【図１３】本発明に係るパチンコ遊技機の第２実施形態を示す部分破断正面図である。
【図１４】上記第２実施形態においてセキュリティ板の変位板部材のガラス板が原位置にあるときの図１３の１４−１４線に沿う断面図である。
【図１５】上記第２実施形態においてセキュリティ板の変位板部材のガラス板が前進位置にあるときの状態を示す球落下防止装置の断面図である。
【図１６】上記第２実施形態においてセキュリティ板の開状態にて球受けレールを後方へ押し込んだときの状態を示す球落下防止装置の断面図である。
【図１７】上記第２実施形態においてセキュリティ板を閉じる過程における状態を示す球落下防止装置の断面図である。
【図１８】上記第２実施形態において前方へ変位した状態にある球受けレールと内レールとの位置関係を説明するための遊技盤の部分破断斜視図である。
【図１９】上記第２実施形態において後方へ変位した状態にある球受けレールと内レールとの位置関係を説明するための遊技盤の部分破断斜視図である。
【図２０】本発明に係るパチンコ遊技機の第３実施形態において、セキュリティ板が原位置にあるときの断面図である。
【図２１】図２０にてセキュリティ板が前進位置に移動した状態を示す断面図である。
【図２２】上記第３実施形態におけるパチンコ遊技機の分解斜視図である。
【図２３】上記第３実施形態におけるセキュリティ板の前面側から見たときの斜視図である。
【図２４】上記第３実施形態におけるセキュリティ板の後面側から見たときの斜視図である。
【図２５】上記第３実施形態におけるセキュリティ板の分解斜視図である。
【図２６】上記第３実施形態における変位板部材のその原位置にあるときの斜視図である。
【図２７】上記第３実施形態における変位板部材に対する球噛み解消のための外部操作が行われるときの斜視図である。
【図２８】上記第３実施形態における上側回動カム機構部が原回動位置にあるときの右側面断面図である。
【図２９】上記第３実施形態における上側回動カム機構部の球噛み解消のための外部操作が行われたときの右側面断面図である。
【図３０】上記第３実施形態における上側回動カム機構部のロック解除のための外部操作が行われたときの右側面断面図である。
【図３１】上記第３実施形態における下側回動カム機構部が原回動位置にあるときの右側面断面図である。
【図３２】上記第３実施形態における下側回動カム機構部の球噛み解消のための外部操作が行われたときの右側面断面図である。
【図３３】上記第３実施形態における下側回動カム機構部のロック解除のための外部操作が行われたときの右側面断面図である。
【図３４】上記第３実施形態におけるロック機構の係止部材に対する係止状態を示す正面図である。
【図３５】上記第３実施形態におけるロック機構の係止部材からの解離過程を示す正面図である。
【図３６】上記第３実施形態におけるロック機構の係止部材からの解離状態を示す正面図である。
【図３７】本発明に係るパチンコ遊技機の第５実施形態においてセキュリティ板が原位置にあるときの断面図である。
【図３８】図３７においてセキュリティ板が前進位置に移動した状態を示す断面図である。
【図３９】上記第５実施形態におけるパチンコ遊技機の分解斜視図である。
【図４０】上記第５実施形態におけるセキュリティ板をその前面側からみたときの斜視図である。
【図４１】上記第５実施形態におけるセキュリティ板をその後面側からみたときの斜視図である。
【図４２】上記第５実施形態におけるセキュリティ板の分解斜視図である。
【図４３】上記第５実施形態におけるセキュリティ板のその原位置にあるときの斜視図である。
【図４４】上記第５実施形態におけるセキュリティ板に対する球噛み解消のための外部操作が行われるときの斜視図である。
【図４５】上記第５実施形態におけるロック機構がロックレバーにて係止部材に係止した状態を示す正面図である。
【図４６】上記第５実施形態におけるロック機構がロックレバーにて係止部材との係止から解離する状態を示す正面図である。
【図４７】上記第５実施形態におけるロック機構がロックレバーにて係止部材との係止から解離した状態を示す正面図である。
【図４８】上記第５実施形態において変位板部材が原位置にあるときの上下動機構部材と上側案内部材との位置関係を示す正面図である。
【図４９】上記第５実施形態において変位板部材を前方へ変位させる過程にあるときの上下動機構部材と上側案内部材との位置関係を示す正面図である。
【図５０】上記第５実施形態において変位板部材を前進位置へ変位させたときの上下動機構部材と上側案内部材との位置関係を示す正面図である。
【図５１】上記第５実施形態において変位板部材が原位置にあるときの当該変位板部材の上側突出壁と上側案内部材の案内壁との位置関係を示す断面図である。
【図５２】上記第５実施形態において変位板部材が原位置から前進位置への変位過程にあるときの当該変位板部材の上側突出壁と上側案内部材の案内壁との位置関係を示す断面図である。
【図５３】上記第５実施形態において変位板部材が原位置から前進位置へ変位したときの当該変位板部材の上側突出壁と上側案内部材の案内壁との位置関係を示す断面図である。
【図５４】上記第５実施形態において変位板部材が原位置にあるときの当該変位板部材の下側突出壁と下側案内部材の案内壁との位置関係を示す断面図である。
【図５５】上記第５実施形態において変位板部材が原位置から前進位置への変位過程にあるときの当該変位板部材の下側突出壁と下側案内部材の案内壁との位置関係を示す断面図である。
【図５６】上記第５実施形態において変位板部材が原位置から前進位置への変位したときの当該変位板部材の下側突出壁と下側案内部材の案内壁との位置関係を示す断面図である。
【発明を実施するための形態】
【００６６】
以下、本発明の各実施形態を図面により説明する。
【００６７】
（第１実施形態）
図１〜図３は、本発明を適用してなるパチンコ遊技機の第１実施形態を示しており、当該パチンコ遊技機は、パチンコホール内の設置島に立設されるものである。
【００６８】
このパチンコ遊技機は、図１〜図７のいずれかから分かるように、機枠（図示しない）、遊技盤Ｐを枠体Ｈに組み付けてなる遊技機本体と、この遊技機本体に開閉可能に支持される前扉Ｄ及びセキュリティ板Ｓとによって構成されている。なお、図１において、図示左側、右側、上側及び下側を、それぞれ、当該パチンコ遊技機の左側、右側、上側及び下側という。
【００６９】
前扉Ｄは、セキュリティ板Ｓを介し、上記遊技機本体の枠体Ｈにその前面側から開閉可能に支持されているもので、この前扉Ｄは、扉本体Ｄａ（図２参照）と、この扉本体Ｄａの窓穴部１１にその裏面側から取り付けたガラス板１２とにより構成されている（図１参照）。
【００７０】
前扉Ｄは、上ヒンジ板２１（図２参照）と、下ヒンジ板（図示せず）とにより、枠体Ｈに上述のごとく開閉可能に支持されており、この前扉Ｄは、閉じたときに、遊技盤Ｐをその盤面３１側から覆い、また、開いたときに、遊技盤Ｐをその盤面３１側から開放する。なお、上記下ヒンジは、枠体Ｈの突出部４２（図７参照）の左端部上に装着されている。
【００７１】
また、前扉Ｄは、図７にて示すごとく、遊技球を貯留する球受け皿１３、この球受け皿１３内の遊技球を遊技盤Ｐの遊技領域３２へと打球するときに操作される発射ハンドル１４、遊技者の遊技への参加意識を高めるために所定の演出時に遊技者によりプッシュ操作される演出操作ボタン１５などを備えている。
【００７２】
ここで、扉本体Ｄａの窓穴部１１の外周部のうち各隅角部には、各貫通穴部１６〜１６が各装飾部品３５（後述する）に対応するように形成されている。なお、当該各貫通穴部１６〜１６には、その前側開口部にて、各透明板が嵌着されていてもよい。
【００７３】
また、前扉Ｄには、施錠装置１７が設けられており、この施錠装置１７は、キーＫの一方向回動操作により、前扉Ｄを枠体Ｈに対して施錠し、また、当該キーＫの他方向回動操作により、当該前扉Ｄの枠体Ｈに対する施錠を解錠する（図６参照）。なお、前扉Ｄには、工具挿入穴部１８が、図７にて示すごとく、後述する如き球噛み解消に用いる軸状工具Ｔを挿入するために設けられており、この工具挿入穴部１８は、後述のごとく可動枠６２の固定枠６１に対する上下動を許容するように上下方向に長穴状に形成されている。
【００７４】
遊技盤Ｐは、図７にて示すごとく、その盤面３１にて、外レール３３と内レール３４とを備えており、これら外レール３３及び内レール３４は、その内周側にて、遊技盤Ｐの盤面３１上に遊技領域３２を形成している。
【００７５】
外レール３３は、発射ハンドル１４の回動操作により発射された遊技球を遊技領域３２へ案内する。遊技領域３２には、図示しないが、遊技釘、風車、普通入賞口装置、第１始動口を有するスタートチャッカー、第２始動口を有する電動チューリップ、大入賞口を有するアタッカー、ゲート（スルーチャッカー）、ステージやアウト口などが設けられている。
【００７６】
枠体Ｈは、図７にて示すごとく、四角形状の中空部４１ａを有する四角形状の枠部４１と、この枠部４１の下端から前方へ突出する突出部４２とにより構成されており、枠部４１の上壁部４１ｂには、その右端側にて、凹部４１ｃが前方へ開口するように形成されている。なお、遊技盤Ｐは、枠部４１の中空部４１ａ内に嵌装されて、上述のごとく枠体Ｈに組み付けられている。また、遊技盤Ｐには、その裏面側から、画像表示器、電源回路や遊技制御回路（主基板、サブ基板）などが組付けられている。
【００７７】
ロック機構４３は、図７及び図９〜図１２のいずれかにて示すごとく、枠部４１の凹部４１ｃ内に組み付けられており、このロック機構４３は、ロックレバー４３ａと、ピン４３ｂと、捩りばね４３ｃとにより構成されている。
【００７８】
ロックレバー４３ａは、長板状のもので、当該ロックレバー４３ａは、そのレバー本体の基端部にて、枠部４１の凹部４１ｃ内に、ピン４３ｂにより上下方向に傾動可能に組み付けられて、凹部４１ｃからその右側内壁部に沿い前方へ延出している。ここで、ロックレバー４３ａの上記レバー本体の延出先端部には、フック部４３ｄが、下向きに形成されている（図９参照）。このことは、ロックレバー４３ａは、上記レバー本体とフック部４３ｂとによりＬ字状に形成されていることを意味する。
【００７９】
また、ピン４３ｂは、凹部４１ｃ内にてその上記右側内壁部から左方に向け突出されており、このピン４３ｂは、ロックレバー４３ａの上記レバー本体の基端部を上下方向に傾動可能に支持している。また、捩りばね４３ｃは、その捩りばね力にてロックレバー４３ａの上記レバー本体をその基部を軸として下方に向け傾動させるように付勢すべく、凹部４１ｃ内にて、ピン４３ｂに同軸的に支持されている。
【００８０】
セキュリティ板Ｓは、枠体Ｈに前後方向に開閉可能に支持されているもので、このセキュリティ板Ｓは、図８に示すように、矩形状の固定枠６１と、この固定枠６１の矩形状中空部内に組付けられる矩形状の可動枠６２と、変位板部材６３とを備えている。
【００８１】
固定枠６１は、上壁６１ａと、右壁６１ｂと、左壁６１ｃと、下壁６１ｄとにより、矩形枠状に形成されており、この固定枠６１は、図７或いは図１２にて示すごとく、三角状の上ヒンジ板５１及び三角状の下ヒンジ板５２により、枠体Ｈに前後方向に回動可能に支持されている。このことは、セキュリティ板Ｓが上述のごとく枠体Ｈに前後方向に開閉可能に支持されていることを意味する。
【００８２】
本第１実施形態において、上ヒンジ板５１は、その前端角部にて、固定枠６１の上壁６１ａの左端部にヒンジピン５３により回動可能に支持されており、当該上ヒンジ板５１の後端部は、２つのネジにより、枠体Ｈの枠部４１の上壁部４１ｂの左端部にその下側から締着されている。
【００８３】
一方、下ヒンジ板５２は、その前端角部にて、固定枠６１の下壁６１ｄの左端部にヒンジピン５４により回動可能に支持されており、当該下ヒンジ板５２の後端部は、２つのネジにより、枠体Ｈの枠部４１の下壁部の左端部にその上側から締着されている。これにより、固定枠６１は、上述のごとく、枠体Ｈに前後方向に回動可能に支持されている。
【００８４】
また、固定枠６１において、上壁６１ａは、図７或いは図８にて示すごとく、切欠き部６１ｅを有しており、この切欠き部６１ｅは、上壁６１ａの右端部にその前方から後方に向け横断面矩形凹状に切り欠き形成されている。これにより、当該切欠き部６１ｅは、図７或いは図８にて示すごとく、前方及び上下の各方向に向け開口している。ここで、切欠き部６１ｅの左右方向開口幅は、ロックレバー４３ａのフック部４３ｄの板厚よりも幾分広くなっている。このことは、ロックレバー４３ａのフック部４３ｄが、切欠き部６１ｅ内のその上側開口部から進入可能であることを意味する。
【００８５】
右壁６１ｂ及び左壁６１ｃは、それぞれ、図７或いは図８にて示すごとく、２つの直線状長穴部６１ｆを有しており、右壁６１ｂにおいて、２つの直線状長穴部６１ｆは、右壁６１ｂの内側面（左側面）から外側面（右側面）にかけて、当該右壁６２ｂの上下方向中間部位に上下方向に所定間隔をおいてそれぞれ左右方向に貫通状に形成されている。ここで、各直線状長穴部６１ｆは、それぞれ、図９にて拡大して示すごとく、右壁６１ｂの上下方向中間部位において、図示上下方向に沿い直線状に形成されている。
【００８６】
また、左壁６１ｃにおいて、２つの直線状長穴部６１ｆは、図８にて示すごとく、左壁６１ｃの内側面（右側面）から外側面（左側面）にかけて、当該左壁６１ｃの上下方向中間部位に、右壁６１ｂの各直線状長穴部６１ｆに左右方向においてそれぞれ対向して位置するとともに、左右方向に貫通状に形成されている。ここで、左壁６１ｃの各直線状長穴部６１ｆは、それぞれ、図８にて示すごとく、左壁６１ｃの上下方向中間部位において、図示上下方向に沿い直線状に形成されている。
【００８７】
可動枠６２は、固定枠６１の矩形状中空部内に上下方向に移動可能に組み付けられているもので、この可動枠６２は、図８にて示すごとく、右壁６２ａと、左壁６２ｂと、上バー６２ｃと、下バー６２ｄとにより構成されている。
【００８８】
右壁６２ａ及び左壁６２ｂは、図８にて示すごとく、それぞれ、２つの傾斜状長穴部６２ｅを有しており、右壁６２ａにおいて、２つの傾斜状長穴部６２ｅは、右壁６２ａのうち固定枠６１の右壁６１ｂの２つの直線状長穴部６１ｆの間の部位に対する各対応部位にて、右壁６２ａの内側面（左側面）から外側面（右側面）にかけてそれぞれ左右方向には貫通状に形成されている。
【００８９】
ここで、右壁６２ａの２つの傾斜状長穴部６２ｅは、それぞれ、当該右壁６２ａの後側上方から前側下方にかけて、上に突な緩やかな湾曲形状に形成されている。換言すれば、当該２つの傾斜状長穴部６２ｅは、それぞれ、後側上端部６２ｆから前側下端部６２ｇにかけて、上に突な緩やかな湾曲形状に形成されている。なお、右壁６２ａの各傾斜状長穴部６２ｅにおける後側上端部６２ｆと前側下端部６２ｇとの間の傾斜方向間隔は、固定枠６１の下壁６１ｄ上に着座状態にある可動枠６２の係合突部６２ｌ（後述する）の上端面と固定枠６１の切欠き部６１ｅの上端開口面との間の上下方向間隔に対応する。
【００９０】
また、左壁６２ｂにおいて、２つの傾斜状長穴部６２ｅは、当該左壁６２ｂのうち固定枠６１の左壁６１ｃの２つの直線状長穴部６１ｆの間の部位に対する各対応部位にて、右壁６２ａの２つの傾斜状長穴部６２ｅに対向するように、左壁６２ｂの内側面（右側面）から外側面（左側面）にかけてそれぞれ左右方向には貫通状に形成されている。換言すれば、当該左壁６２ｂの２つの傾斜状長穴部６２ｅは、それぞれ、後側上端部６２ｆから前側下端部６２ｇにかけて、上に突な緩やかな湾曲形状に形成されている。
【００９１】
また、当該可動枠６２は、各２つの案内ピン６２ｉ（図８参照）を有しており、これら各案内ピン６２ｉは、２つずつ、右壁６２ａ及び左壁６２ｂの各外面から互いに外方に向け突出されている。
【００９２】
ここで、右壁６２ａの外面から突出する２つの案内ピン６２ｉは、それぞれ、固定枠６１における右壁６１ｂの各直線状長穴部６１ｆに左右方向において対向して位置することで、当該各直線状長穴部６１ｆに相対移動可能に挿通されている。また、左壁６２ｂの外面から突出する２つの案内ピン６２ｉは、それぞれ、固定枠６１における左壁６１ｃの各直線状長穴部６１ｆに左右方向において対向して位置することで、当該各直線状長穴部６１ｆに相対移動可能に挿通されている。
【００９３】
これにより、可動枠６２は、各案内ピン６２ｉにより、固定枠６１の各対応の直線状長穴部６１ｆに沿い案内されて、当該各直線状長穴部６１ｆによる前後方向への移動規制のもとに上下方向に移動可能となっている。なお、右壁６２ａから突出する各案内ピン６２ｉは、右壁６２ａのうち固定枠６１の右壁６１ｂの直線状長穴部６１ｆに対する各対応部位に形成した各圧入孔部６２ｈに圧入により嵌着されて上述のように突出している。また、左壁６２ｂから突出する各案内ピン６２ｉは、左壁６２ｂのうち固定枠６１の左壁６１ｃの直線状長穴部６１ｆに対する各対応部位に形成した各圧入孔部に圧入により嵌着されて上述のように突出している。
【００９４】
また、可動枠６２において、上バー６２ｃは、その右端部及び左端部にて、それぞれ、固定枠６１の上壁６１ａに平行となるように、右壁６２ａ及び左壁６２ｂの各上端部にその前側から装着されており、一方、下バー６２ｄは、それぞれ、右壁６２ａ及び左壁６２ｂの各下端部にその前側から装着されて、上バー６２ｃに平行となっている。
【００９５】
これにより、上バー６２ｃ及び下バー６２ｄは、右壁６２ａ及び左壁６２ｂを互いに平行に維持し、可動枠６２を上述のごとく矩形状に構成している。ここで、右壁６２ａは、その上端部６２ｌにて、上バー６２ｃの右端部より上方へ突出するように形成されて、固定枠６１の切欠き部６１ｅ内に下方から進入してロックレバー４３ａのフック部４３ｄに下方から係合可能となっている。以下、上端部６２ｌは、係合突部６２ｌともいう。
【００９６】
上述のように構成した可動枠６２は、固定枠６１内にて、その左右両壁６１ｃ、６１ｂに対し左右方向には移動不能にかつ上下方向には移動可能に組み付けられている。
【００９７】
また、本第１実施形態では、可動枠６２は、図８にて例示するごとく、操作ロッド６２ｋを有している。この操作ロッド６２ｋは、可動枠６２の右壁６２ａにその上下方向下側中間部位から前方に突出するように設けられており、当該操作ロッド６２ｋは、その把持により可動枠６２を固定枠６１に沿い上動させる役割を果たす。なお、前扉Ｄの扉本体Ｄａのうち操作ロッド６２ｋに対する対応部位には、その後方から盗み部（図示しない）が凹状に形成されており、当該盗み部は、操作ロッド６２ｋをその内部に進入させることで、前扉Ｄを適正に閉じるようにする役割を果たす。
【００９８】
変位板部材６３は、図８にて例示するごとく、正８角形状の保持枠６３Ａと、正８角形状のガラス板６４とを備えており、ガラス板６４は、保持枠６３Ａの正８角形状中空部内に嵌め込まれている。なお、保持枠６３Ａは、右壁６３ａ、左壁６３ｂ、上壁６３ｃ、下壁６３ｄ及び各傾斜壁６３ｅによって、上述のごとく、正８角形状に形成されている。また、ガラス板６４は、本発明にいう対向部位、すなわち、セキュリティ板Ｓにおいて、遊技盤Ｐの盤面３１に対する対向部位に対応している。
【００９９】
このように構成した変位板部材６３は、図７にて示すごとく、次のようにして、可動枠６２の左右両壁６２ｂ、６２ａの間にて当該左右壁６２ｂ、６２ａに対し前後方向に変位可能となるように組み付けられている。
【０１００】
即ち、変位板部材６３は、４つの案内ピン６３ｇ（図９参照）を有しており、これら４つの案内ピン６３ｇのうち、２つの案内ピン６３ｇは、保持枠６３Ａの右壁６３ａのうち可動枠６２における右壁６２ａの両傾斜状長穴部６２ｅに対する各対応部位からそれぞれ右方へ突出されて、当該両傾斜状長穴部６２ｅ内に相対変位可能に挿入されている。なお、保持枠６３Ａの右壁６３ａから突出する各案内ピン６３ｇは、右壁６３ａのうち右壁６２ａの両傾斜状長穴部６２ｅに対する各対応部位に形成された両圧入孔部６３ｆの各々に圧入されて右方へ突出している。
【０１０１】
残りの２つの案内ピン６３ｇは、保持枠６３Ａの左壁６３ｂのうち可動枠６２における左壁６２ｂの両傾斜状長穴部６２ｅに対する各対応部位からそれぞれ左方へ突出されて、当該両傾斜状長穴部６２ｅ内に相対変位可能に挿入されている。なお、保持枠６３Ａの左壁６３ｂから突出する各案内ピン６３ｇは、左壁６３ｂに上記両圧入孔部６３ｆに対向する各部位にて形成された両圧入孔部の各々に圧入されて左方へ突出している。
【０１０２】
これにより、変位板部材６３は、上述のごとく、可動枠６２内にてその左右壁６２ｂ、６２ａの間にて当該左右壁６２ｂ、６２ａに対し各傾斜状長穴部６２ｅに沿い前後方向に変位可能となっている。
【０１０３】
なお、保持枠６３Ａの下壁６３ｄの下面には、両半球状突起６３ｈが、図８にて示すごとく、左右方向に間隔をおいて下方に向けて突設されている。このため、変位板部材６３は、保持枠６３Ａの下壁６３ｄにて、固定枠６１の下壁６１ｄ上にて円滑に変位可能となっている。
【０１０４】
また、上述のように変位板部材６３を可動枠６２内に組み付けることで、可動枠６２の各隅角部と保持枠６３Ａの各対応の傾斜壁６３ｅとの間には、三角形状の空所Ｇが、後述のごとく各直角三角柱形状の装飾部品６０ａの突出可能に、図７にて例示するごとく、形成されている。
【０１０５】
各装飾部品６０ａは、その後端部にて、固定枠６１の上下左右の各隅角部に支持されており、当該各装飾部品６０ａは、各対応の空所Ｇを通り可動枠６２の前方へ前扉Ｄの各対応の貫通穴部１６に挿通可能に突出されている。本第１実施形態では、可動枠６２が後述のごとく上下方向へ移動しても、当該可動枠６２及び変位板部材６３が、各装飾部品６０ａと干渉しあわないように、各空所Ｇが形成されている。また、前扉Ｄの各貫通穴部１６は、各装飾部品６０ａと干渉しあわないように形成されている。
【０１０６】
また、本第１実施形態においては、パチンコ遊技機は、図１〜図３、図７、図９及び図１０のいずれかにて示すごとく、軸状工具Ｔを付随的に備えている。この工具Ｔは、円柱状把持部と、この円柱状把持部から同軸的に延出する軸部Ｔｂとを備えており、当該工具Ｔの軸部Ｔｂは、その先端部Ｔａにて、半径方向に突出する突出片部（図示しない）を有するように形成されている。
【０１０７】
ここで、本第１実施形態では、帯状挿入溝部６２ｊが、図８にて例示するごとく、可動枠６２の右壁６２ａの下側中間部位にて、左右方向に帯状に形成されており、右壁６２ａのうち帯状挿入溝部６２ｊの後方直上部位の内部には、右壁６２ａから固定枠６１の右壁６１ｂのうち上記後方直上部位に対する対応内面部に向けて開口するようにくり抜き穴部（図示しない）がくり抜き形成されている。また、固定枠６１の右壁６１ｂの上記対応内面部には、切り欠き部（図示しない）が、上記くり抜き穴部に向けて左側へ開口するように形成されている。
【０１０８】
しかして、このように構成した工具Ｔは、次のごとく、操作されるようになっている。即ち、工具Ｔを、軸Ｔｂにて、その左側に上記突出片部を位置させるようにして、前扉Ｄの貫通孔部１８（図６参照）を通り、セキュリティ板Ｓの可動枠６２の帯状挿入溝部６２ｊに挿入した状態にて、当該工具Ｔを、図９にて図示円弧状矢印にて示すごとく、時計方向に回動すると、この工具Ｔの上記突出片部は、右壁６１ｂの上記くり抜き穴部内にて軸部Ｔｂの軸周りに上記時計方向に回動して、当該くり抜き穴部から右壁６１ｂの上記切り欠き部内に進入してその内面下部に係合する。
【０１０９】
然る後、当該工具Ｔをさらに時計方向に回動させると、この工具Ｔは、その回動に伴い、上記突出片部にて、右壁６１ｂの上記切り欠き部の上記内面下部を下方に向け押動する。これに伴い、工具Ｔが、上記突出片部による上記切り欠き部の上記内面下部に対する押動のもとに、軸部Ｔｂにより、帯状挿入溝部６２ｊの上側内面部を介し可動枠６２の右壁６２ａを上方へ押し上げる。このため、可動枠６２が、各案内ピン６２ｉにより、固定枠６１の各対応の直線状長穴部６１ｆに沿い案内されて、上動する。
【０１１０】
以上のように構成した本第１実施形態において、当該パチンコ遊技機では、図９にて例示するごとく、前扉Ｄが、セキュリティＳとともに、遊技盤Ｐを介し枠体Ｈを閉じた状態にあるものとする。
【０１１１】
このような状態では、可動枠６２は、その下壁６２ｄにて、固定枠６１の下壁６１ｄ上に着座し、セキュリティ板Ｓは、変位板部材６３にて、可動枠６２の後部内に位置している。このことは、セキュリティ板Ｓにおいて、変位板部材６３が上記原位置に維持されていることを意味する（図４及び図９参照）。
【０１１２】
このとき、可動枠６２の各案内ピン６２ｉは、固定枠６１の各対応の直線状長穴部６１ｆ内にてその上端部に下方から当接している。また、変位板部材６３の各案内ピン６３ｇは、可動枠６２の各対応の傾斜状長穴部６２ｅ内にてその各後側上端部６２ｆに下方から当接している。
【０１１３】
さらに、セキュリティ板Ｓは、ロック機構４３により枠体Ｈにロックされた状態にある。ここで、ロック機構４３のロックレバー４３ａは、捩りばね４３ｃにより付勢されて、フック部４３ｄにより固定枠６１の切欠き部６１ｅ内に上方から進入係合している。
【０１１４】
このような状態においては、セキュリティ板Ｓが、遊技盤Ｐを介し上記遊技機本体を閉じている。このため、セキュリティ板Ｓと上記遊技機本体との間において隙間がわずかでも生じることがない。
【０１１５】
従って、隙間が、前扉Ｄと上記遊技機本体との間に生じていても、上述のようにセキュリティ板Ｓと上記遊技機本体との間には隙間が発生しない。
【０１１６】
このため、不正行為者が、当該パチンコ遊技機に対して不正行為を行うべく、前扉Ｄと上記遊技機本体との間の隙間からピアノ線などを進入させたとしても、遊技盤Ｐの盤面３１はセキュリティ板Ｓにより覆われていることから、ピアノ線などをセキュリティ板Ｓと上記遊技機本体との間から進入させることは困難である。このことは、上述した不正行為を未然に防止し得ることを意味する。
【０１１７】
このような状態において、当該パチンコ遊技機による遊技過程にて、遊技球が、変位板部材６３と遊技盤Ｐの盤面３１との間に挟まれることで、いわゆる球噛みが、遊技盤Ｐの盤面３１と変位板部材６３との間に発生した場合、セキュリティ板Ｓが、上述のごとく、ロック機構４３によりロックされた状態で、閉じたままとなっている。従って、前扉Ｄを開いてセキュリティ板Ｓを開こうとしても開くことはできない。
【０１１８】
そこで、例えば、ホールの作業者が、工具Ｔの把持部を把持して、図９に示すように、軸部Ｔｂを前扉Ｄの工具挿入穴部１８（図７参照）に挿入して、軸部Ｔｂの上記突出片部を、当該軸部Ｔｂの左側に位置させるようにして、可動枠６２の右壁６２ａの帯状挿入溝部６２ｊに挿入する。
【０１１９】
然る後、当該工具Ｔを、図９にて図示円弧状矢印にて示すごとく、時計方向に回動すると、この工具Ｔの上記突出片部は、右壁６１ｂの上記くり抜き穴部内にて軸部Ｔｂの軸周りに上記時計方向に回動して、当該くり抜き穴部から右壁６１ｂの上記切り欠き部内に進入してその内面下部に係合する。
【０１２０】
このような段階にて、当該工具Ｔをさらに時計方向に回動させると、この工具Ｔは、その回動に伴い、上記突出片部にて、右壁６１ｂの上記切り欠き部の上記内面下部を下方に向け押動する。これに伴い、工具Ｔが、上記突出片部による上記切り欠き部の上記内面下部に対する押動のもとに、軸部Ｔｂにより、帯状挿入溝部６２ｊの上側内面部を介し可動枠６２の右壁６２ａを上方へ押し上げる。このため、可動枠６２が、各案内ピン６２ｉにより、固定枠６１の各対応の直線状長穴部６１ｆに沿い案内されて、上動する。なお、図９及び図１０では、便宜上、前扉Ｄは示されていない。
【０１２１】
このような可動枠６２の上動に伴い、セキュリティ板Ｓにおいては、変位板部材６３が、各案内ピン６３ｇにて、可動枠６２の各対応の傾斜状長穴部６２ｅに沿いその各後側上端部６２ｆから各前側下端部６２ｇに向けて案内されて、前方へ変位（即ち、前進）する。このとき、変位板部材６３は、保持枠６３Ａの上下両壁６３ｃ、６３ｄにて、固定枠６１の上下両壁６１ａ、６１ｄの間に上下方向には移動不能に規制されているから、変位板部材６３は、各案内ピン６３を、可動枠６２の上述の上動にあわせて各対応の傾斜状長穴部６２ｅの傾斜方向に沿い移動させながら、前進する。
【０１２２】
然る後、各案内ピン６３ｇが、それぞれ、各対応の傾斜状長穴部６２ｅの傾斜方向中間部位に達すると、変位板部材６３は、その前進位置に達する（図５及び図１０参照）。
【０１２３】
このように変位板部材６３が原位置から前進位置へ変位することで、変位板部材６３は遊技盤Ｐの盤面３１から前方に離れる。このことは、変位板部材６３と遊技盤Ｐの盤面３１との間の間隔が、遊技球の直径よりも、一様に広くなることを意味する。その結果、遊技球が、その球噛みから容易に解放され得る。
【０１２４】
このように球噛みが解消した状態においては、セキュリティ板Ｓは、上述のごとく、閉じたままでロック機構４３によりロックされている。このとき、セキュリティ板Ｓにおいては、変位板部材６３と遊技盤Ｐの盤面３１との間の間隔が上述のように広くなっても、当該変位板部材６３と可動枠６２或いは固定枠６１との間の関係は、変位板部材６３の原位置における場合と同様であるので、何ら不正を行う余地は発生しない。
【０１２５】
上述のようにして遊技球の球噛みを解消した後は、工具Ｔを上述とは逆に反時計方向に回動させると、この工具Ｔの上記突出片部は、右壁６１ｂの上記くり抜き穴部内にて軸部Ｔｂの軸周りに上記反時計方向に回動して、右壁６１ｂの上記切り欠き部の内面下部から解離して右壁６１ｂの上記くり抜き穴部の内部に戻る。これに伴い、可動枠６２が、その自重のもとに、各案内ピン６２ｉを固定枠６１の各対応の直線状長穴部６１ｆに沿い下方に向け移動させながら下動する。
【０１２６】
このような可動枠６２の下動に伴い、セキュリティ板Ｓにおいては、変位板部材６３が、各案内ピン６３ｇにて、可動枠６２の各対応の傾斜状長穴部６２ｅに沿い各後側上端部６２ｆに向けて案内されて、可動枠６２の下動に対し相対的に上動しながら後方へ変位する。このとき、変位板部材６３は、保持枠６３Ａの上下両壁６３ｃ、６３ｄにて、固定枠６１の上下両壁６１ａ、６１ｄの間に上下方向には移動不能に規制されているから、変位板部材６３は、各案内ピン６３ｇを、可動枠６２の上述の下動にあわせて各対応の傾斜状長穴部６２ｅの傾斜方向に沿い移動させながら、後方へ変位する。
【０１２７】
然る後、各案内ピン６３ｇが、それぞれ、各対応の傾斜状長穴部６２ｅの後側上端部６２ｆに達すると、変位板部材６３は、その原位置に達する（図５及び図１０参照）。これにより、変位板部材６３と遊技盤Ｐの盤面との間隔は元の状態に復帰する。なお、この段階では、既に球噛みは上述のごとく解消されているため、特に支障はない。また、上述のように変位板部材６３が原位置に戻った後は、工具Ｔを前扉Ｄの工具挿入穴部１８から抜き取ればよい。
【０１２８】
また、何らかの理由によりセキュリティ板Ｓを開く必要が発生した場合には、キーＫを施錠装置１７に挿入して一方向回動操作すれば、前扉Ｄが、施錠装置１７による枠体Ｈとの施錠から解放される。このとき、変位板部材６３は、原位置にあるものとする。
【０１２９】
このような状態にて、前扉Ｄを開いた後、操作ロッド６２ｋを把持して可動枠６２を上動させると、可動枠６２の係合突部６２ｌが、固定枠６１の切欠き部６１ｅ内に下方から進入して固定枠６１の上壁６１ａの切り欠き部６１ｅ内にその下方から進入してロックレバー４３ａのフック部４３ｄに係合する。然る後、可動枠６２の係合突部６２ｌが、フック部４３ｄを捩りばね４３ｃに抗して押し上げるようにしてロックレバー４３ａを上方に傾動させる。
【０１３０】
これに伴い、ロックレバー４３ａのフック部４３ｄが固定枠６１の上壁６１ａの切り欠き部６１ｅから上方へ解離すると、セキュリティ板Ｓは、枠体Ｈとのロックから解放される。換言すると、切り欠き部６１ｅは、可動枠６２の上動に伴う係合突部６２ｌの上動につれてその容積が縮小してゆくが、可動枠６２が所定範囲内で上動する間は、当該容積は、係合突部６２ｌによってなくなることはなく、セキュリティ板Ｓをロック状態に維持し、一方、可動枠６２が所定範囲を超えて上動したとき上記容積は、係合突部６２ｌによってなくなり、セキュリティ板Ｓのロック状態は解除される。
【０１３１】
また、上述のような可動枠６２の上動に伴い、可動枠６２の各案内ピン６２ｉは、固定枠６１の各対応の直線状長穴部６１ｆに沿い上動する。また、変位板部材６３の各案内ピン６３ｇが、可動枠６２の各対応の傾斜状長穴部６２ｅに沿いその後側上端部６２ｆから前側下端部６２ｇまで移動することで、変位板部材６３を前進させる。
【０１３２】
上述のように、セキュリティ板Ｓを枠体Ｈとのロックから解放した後は、操作ロッド６２ｋにより可動枠６２を上動させた状態で、当該セキュリティ板Ｓを枠体Ｈから開くことができる（図１２参照）。なお、セキュリティ板Ｓを開いた後は、操作ロッド６２ｋを解放すれば、可動枠６２は、その自重により下動し、変位板部材６３が原位置に戻る。
【０１３３】
このような状態において、セキュリティ板Ｓを再び閉じるにあたっては、当該セキュリティ板Ｓを、枠体Ｈに向けて押し当てるようにすれば、固定枠６１の上壁６１ａがその右端部にてロックレバー４３ａのフック部４３ｄを捩りばね４３ｂに抗して押し上げながら閉じる。これに伴い、ロックレバー４３ａのフック部４３ｄが捩りばね４３ｂの弾力のもとに固定枠６１の切り欠き部６１ｅ内に上方から進入して係合する。これにより、セキュリティ板Ｓがロック機構４３により再びロックされる。ついで、前扉Ｄを閉じ、然る後、キーＫにより施錠装置１７を介して前扉Ｄを施錠する。
【０１３４】
なお、上述のようにセキュリティ板Ｓを開くにあたっては、操作ロッド６２ｋに依存することなく、工具Ｔを可動枠６２の帯状挿入溝部６２ｊに上述と同様に挿入して時計方向に回動させることで、可動枠６２を上述のようにロック機構４３によるロックから解除するように上動させるようにしてもよい。これによれば、操作ロッド６２ｋという余分な部品の廃止が可能となる。
【０１３５】
また、本第１実施形態では、セキュリティ板Ｓは、上述したごとく、各装飾部材６０ａを備えるように構成されているが、このような構成とした根拠について説明する。
【０１３６】
パチンコ遊技機では、一般的に、前扉に電飾部品等の装飾部品を設けることで、演出効果を高めることが行われている。ここで、パチンコ遊技機において、遊技盤は定期的に交換されるものの、前扉は交換されることなくそのまま維持されることが通常である。これでは、パチンコ遊技機としての装飾部品による演出効果を遊技盤の交換にあわせてさらに高めることはできない。
【０１３７】
このため、本第１実施形態では、各装飾部品６０ａが、前扉Ｄではなく、セキュリティ板Ｓに突設されているので、セキュリティ板Ｓを遊技盤Ｐと共に交換すれば、この交換毎に、パチンコ遊技機としての装飾部品による演出効果を新たに高めることができる。
【０１３８】
以上説明したように、本第１実施形態においては、セキュリティ板Ｓが遊技盤Ｐを有する遊技機本体と前扉Ｄとの間に開閉可能に支持されている。
【０１３９】
これによれば、セキュリティ板Ｓを閉じたときには、当該セキュリティ板Ｓと遊技機本体との間には隙間が形成されない。従って、前扉Ｄと遊技機本体との間の隙間からピアノ線などを挿入させ得たとしても、当該ピアノ線などを、セキュリティ板Ｓと遊技機本体との間にまで挿入することは困難である。
【０１４０】
このため、上記ピアノ線などは、遊技盤Ｐの盤面３１に到達し得ず、その結果、上述のような不正行為を未然に防止することができる。
【０１４１】
また、セキュリティ板Ｓは、上述のごとく、閉じたとき、ロック機構４３により枠体Ｈにロックされるので、セキュリティ板Ｓを自由に開けることができない。このため、当該パチンコ遊技機におけるセキュリティが向上する。
【０１４２】
また、球噛みが発生した場合には、上述のごとく、前扉Ｄを閉じた状態でセキュリティ板Ｓをロックしたままにて、工具Ｔを用いて可動枠６２を上動させ、変位板部材６３を前進させることで、当該変位板部材６３と遊技盤Ｐとの間隔を遊技球の直径よりも広くするようにしたので、前扉Ｄ及びセキュリティ板Ｓを開くことなく上記球噛みを解消することが可能になり、便利である。このとき、セキュリティ板Ｓは、上述のごとくロックしたままであるので、当該パチンコ遊技機のセキュリティは、球噛みの解消前と同様に向上する。
【０１４３】
また、本第１実施形態においては、上述のごとく、各装飾部品６０ａをセキュリティ板Ｓに備えるようにしたので、上述の作用効果と相俟って、各装飾部品６０ａによる演出効果を、遊技盤Ｐ及びセキュリティ板Ｓの交換毎に、高めることができる。
【０１４４】
なお、上記第１実施形態は、可動枠６２を上動させることによって変位板部材６３を前進させると共にロック機構４３を作動させる構成としたが、可動枠６３を上動ではなく下動させることによって変位板部材６３を前進させると共にロック機構４３を作動させる構成とすることは自由である。
【０１４５】
また、セキュリティ板Ｓの形状は、上述した第１実施形態では四角形状としたが、遊技盤Ｐの盤面３１における遊技領域３２の形状に対応する形状（略円形形状）で構成してもよく、各装飾部品６０ａがこのセキュリティ板の固定枠にその外側から付設されるようにしてもよい。また、上述した第１実施形態では、セキュリティ板Ｓの変位板部材６３を前後方向へ移動可能に構成したが、セキュリティ板Ｓ全体を前後方向へ移動可能に構成してもよい。
【０１４６】
また、上記第１実施形態では、切欠き部６１ｅをセキュリティ板Ｓの右上端部に設けているが、セキュリティ板Ｓの右上端部の下側に切欠き部６１ｅを設け、この切欠き部６１ｅにロックレバー４３ａを係合可能に配置させ、上述した如き可動枠６２の動作に応じた動作と同様な動作を行わせる構成としてもよい。
【０１４７】
（第２実施形態）
図１３及び図１４は、本発明に係るパチンコ遊技機の第２実施形態の要部を示している。この第２実施形態では、上記第１実施形態にて述べたパチンコ遊技機の遊技盤Ｐにおいて、球落下防止装置ＢＣが、付加的に採用されており、この球落下防止装置ＢＣは、図１３に示すごとく、遊技盤Ｐのうち内レール３４の下端部近傍部位（符号３６にて示すアウト口の近傍部位）に組み付けられている。
【０１４８】
当該球落下防止装置ＢＣは、図１４にて示すごとく、球受けレール１００ａと、駆動機構１００ｂとにより構成されている。球受けレール１００ａは、上記第１実施形態にて述べた内レール３４の下面に沿い、後述のごとく前後方向に変位可能に駆動機構１００ｂにより支持されている。
【０１４９】
ここで、内レール３４の下側レール部３４ａは、内レール３４の全長の半分程度の長さを有する。従って、球受けレール１００ａの全長も、内レール３４の全長の半分程度の長さに相当する。また、球受けレール１００ａの幅は、セキュリティ板Ｓにおいて前進位置にあるガラス板６４の後面と内レール３４の下側レール部３４ａの前縁部との間隔に相当する幅（遊技球の外径よりも幾分大きい幅）を有する。
【０１５０】
駆動機構１００ｂは、ケーシング１００ｃを有しており、このケーシング１００ｃは、下側レール部３４ａの下端部の下側にて遊技盤Ｐに形成した開口部Ｐ１（図１４参照）に嵌装されている。ここで、ケーシング１００ｃは、底壁１０１と、この底壁１０１の左右両端部から上方へ延出する左右両壁（図示しない）と、この左右両壁の各後端部に沿い底壁１０１の後端部から上方へ延出する後壁１０２とにより構成されて、凹所１０３を形成する。
【０１５１】
ここで、当該凹所１０３は、左右方向には断面コ字状となり、かつ前後方向にはＬ字状となって、上方及び前方に向けて開口する。このことは、球受けレール１００ａの後方への変位状態及びセキュリティ板Ｓの閉状態にあっては、ケーシング１００ｃは、凹所１０３にて、球受けレール１００ａの下面及びセキュリティ板Ｓのガラス板６４の後面に向けて開口することを意味する。
【０１５２】
また、駆動機構１００ｂは、図１４にて示すごとく、上下両側摺動体１１０、１２０及び両コイルスプリング１３０、１４０を有しており、上下両側摺動体１１０、１２０は、それぞれ、ケーシング１００ｃの凹所１０３内にその前後方向に向けて相対摺動可能に嵌装されている。
【０１５３】
上側摺動体１１０は、図１４にて示すごとく、摺動体本体１１１と、この摺動体本体１１１の後端部から後方へ延出するロッド１１２とにより構成されている。摺動体本体１１１は、平板状のもので、この摺動体本体１１１は、厚肉部１１１ａと、薄肉部１１１ｂとを備えている。
【０１５４】
厚肉部１１１ａは、摺動体本体１１１の後側半分部位からなるもので、この厚肉部１１１ａは、その下側前端隅角部にて、図１４にて示すごとく、縦断面傾斜状に切り欠かれている。これにより、厚肉部１１１ａの下側前端隅角部には、図１４にて示すごとく、左上側から右下方側に向けて、傾斜面１１１ｃが形成されている。
【０１５５】
薄肉部１１１ｂは、摺動体本体１１１の前側半分部位からなるもので、この薄肉部１１１ｂは、厚肉部１１１ａの前端部から前方へ延出するように当該厚肉部１１１ａと一体的に形成されている。この薄肉部１１１ｂの延出端部には、球受けレール１００ａが、その後縁部の左右方向中央部にて、連結されて、前方へ延出している。これにより、上側摺動体１１０は、球受けレール１００ａを、その上面にて、内レール３４の下側レール部３４ａの下面に沿うように支持する。
【０１５６】
ロッド１１２は、摺動体本体１１１の厚肉部１１１ａの中央後端部から後方に延出してなるもので、このロッド１１２は、ケーシング１００ｃの後壁１０２（凹所１０３の後壁）の凹部１０２ａ（後述する）及び後方突出壁１０４（後述する）の上側貫通穴部１０４ａに軸方向に摺動可能に挿通されている。
【０１５７】
ここで、ケーシング１００ｃは、後方突出壁１０４を有しており、この後方突出壁１０４は、後壁１０２の左右方向中央部位から後方へ一体的に突出されている。当該後方突出壁１０４は、上下両側挿通穴部１０４ａ、１０４ｂを有しており、これら上下両側挿通穴部１０４ａ、１０４ｂは、後方突出壁１０４及び後方突出壁１０４の双方に亘り形成された上下両側凹部１０２ａ、１０２ｂと同軸的に位置するように、後方突出壁１０４に上下に間隔をおいて形成されている。
【０１５８】
また、上側貫通穴部１０４ａは、後述のようにロッド１１２の上下方向への変位を許容するように、ロッド１１２の上下方向幅よりも、所定値だけ大きく形成されている。なお、上下両側凹部１０２ａ、１０２ｂは、詳細には、上側摺動体１１０のロッド１１２及び下側摺動体１２０のロッド１２２（後述する）と前後方向において同軸的に位置するように、後壁１０２及び後方突出壁１０４の前側部位に亘り、上下に間隔をおいて形成されている。
【０１５９】
下側摺動体１２０は、図１４にて示すごとく、摺動体本体１２１と、この摺動体本体１２１の後端部から後方へ延出するロッド１２２とにより構成されている。摺動体本体１２１は、平板状のもので、当該摺動体本体１２１は、ケーシング１００ｃの底壁１０１（凹所１０３の底壁）と上側摺動体１１０との間にて前後方向に摺動可能に凹所１０３内に収容されて、上記第１実施形態にて述べたセキュリティ板Ｓの固定枠６１に設けてなる立ち上がり壁部６１ｇに向けて延出している。なお、立ち上がり壁部６１ｇは、固定枠６１の下壁６１ｄの後端部から上方へ突出するように形成されている。
【０１６０】
また、当該摺動体本体１２１は、その上側後端隅角部にて、図１４にて示すごとく、縦断面傾斜状に切り欠かれている。これにより、摺動体本体１２１の上側後端隅角部には、図１４にて示すごとく、上側摺動体１１０の傾斜面１１１ｃに平行となるように傾斜面１２１ａが形成されている。
【０１６１】
本第２実施形態では、球受けレール１００ａが、その前端部にて、内レール３４の下側レール部３４ａの前端部に下方から重なるように位置するとき、上側摺動体１１０のロッド１１２は、その下端面にて、ケーシング１００の後方突出壁１０４の上側貫通穴部１０４ａの下側内面上に位置するととともに、上側摺動体１１０の傾斜面１１１ｃは、下側摺動体１２０の傾斜面１２１ａに係合する（図１６参照）。このような状態で下側摺動体１２０が後方へ押動されると、上側摺動体１１０は、その傾斜面１１１ｃにて、下側摺動体１２０の傾斜面１２１ａに沿い上方へ押動されて当該傾斜面１２１ａから解離するとともに、ロッド１１２は、その上端面にて、ケーシング１００の後方突出壁１０４の上側貫通穴部１０４ａの上側内面に沿い位置する（図１４参照）。
【０１６２】
ロッド１２２は、ロッド部１２２ａと、鍔部１２２ｂとにより構成されており、ロッド部１２２ａは、摺動体本体１２１の中央後端部から後方に延出されてケーシング１００の後壁１０２の下側凹部１０２ｂ及び後方突出壁１０４の下側貫通穴部１０４ｂに同軸的に前後方向に摺動可能に挿通されている。鍔部１２２ｂは、ロッド部１２２ａの延出端部に同軸的に固着されて、下側摺動体１２０の前方への抜け止め部としての役割を果たす。
【０１６３】
コイルスプリング１３０は、上側摺動体１１０のロッド１１２に嵌装されており、当該コイルスプリング１３０は、その前端部にて、上側摺動体１１０の厚肉部１１１ａの後端部に係止するとともに、その後端部にて、ケーシング１００の後壁１０２の上側凹部１０２ａ内に挿入されて後方突出壁１０４にその前側から係止している。これにより、当該コイルスプリング１３０は、上側摺動体１１０の摺動体本体１１１を前方に向けて付勢する。
【０１６４】
また、コイルスプリング１４０は、下側摺動体１２０のロッド１２２に嵌装されており、当該コイルスプリング１４０は、その前端部にて、下側摺動体１２０の摺動体本体１２１の後端部に係止するとともに、その後端部にて、ケーシング１００の後壁１０２の下側凹部１０２ｂ内に挿入されて後方突出壁１０４にその前側から係止している。これにより、当該コイルスプリング１４０は、下側摺動体１２０の摺動体本体１２１を前方に向けて付勢する。その他の構成は、上記第１実施形態と同様である。
【０１６５】
このように構成した本第２実施形態において、上記第１実施形態と同様に、セキュリティ板Ｓの変位板部材６３のガラス板６４が、セキュリティ板Ｓの閉状態において、原位置にあるとき、球落下防止装置ＢＣの球受けレール１００ａは、図１４にて示すごとく、コイルスプリング１３０により上側摺動体１１０の摺動体本体１１１を介し前方へ付勢されて、原位置にあるガラス板６４にその後面側から当接している。このとき、上側摺動体１１０は、厚肉部１１１ａの下面にて、下側摺動体１２０の摺動体本体１２１の上面後部上に位置するとともに、下側摺動体１２０は、摺動体本体１２１にて、セキュリティ板Ｓの固定枠６１の立ち上がり壁部６１ｇにその後方から当接するとともに、鍔部１２２ｂにて、ケーシング１００の後方突出壁１０４から後方に離れて位置している（図１４参照）。
【０１６６】
このような状態において、上記第１実施形態と同様に球噛みの発生に伴う変位板部材６３のガラス板６４の前進位置への変位に応じて、上側摺動体１１０は、摺動体本体１１１にて、コイルスプリング１３０による付勢のもと、前方へ摺動するととともに、球受けレール１００ａが、上側摺動体１１０により押し出されて前方へ変位する（図１５参照）。
【０１６７】
このことは、球受けレール１００ａが、ガラス板６４の前進に追随しながら前方へ変位するように駆動機構１００ｂにより駆動されることを意味する（図１８参照）。なお、このとき、下側摺動体１２０は、鍔部１２２ｂにて、ケーシング１００の後方突壁１０４の下側貫通穴部１０４ｂの後端開口外周部に、コイルスプリング１４０の付勢力に抗して、係止する。
【０１６８】
従って、上述のようなガラス板６４の前進により当該ガラス板６４と遊技盤Ｐの盤面１１との間隔が大きくなって、遊技球が内レール３４の前縁部とガラス板６４との間から落下し易い状態になっても、球受けレール１００ａが、ガラス板６４と内レール３４との間隙を塞ぎながら、ガラス板６４に追随して前方へ変位する。このため、球噛みの解消により落下する遊技球は、球受けレール１００ａにより下方から確実に受け止められて、セキュリティ板Ｓと遊技盤Ｐとの間から落下することなく、アウト口３６内に排出されていく。
【０１６９】
然る後、上述のように球噛みを解消した後、上記第１実施形態と同様にセキュリティ板Ｓの変位板部材６３のガラス板６４を原位置に戻した後、セキュリティ板Ｓを上記第１実施形態にて述べたと同様にして開く。
【０１７０】
ついで、球受けレール１００ａを、図１５にて図示矢印にて示す方向に押し込むと、当該球受けレール１００ａが、その前縁部にて、図１９にて示すごとく、内レール３４の前端部に重なる位置に変位したとき、上側摺動体１１０が、その自重により、図１６にて示すごとく、傾斜面１１１ｃにて、下側摺動体１２０の傾斜面１２１ａに沿い下方へ変位しながらこの傾斜面１２１ａに係合する。
【０１７１】
これに伴い、下側摺動体１２０が前方へ押し出されるが、鍔部１２２ａがケーシング１００の後方突出壁１０４にその後方から係合するため、下側摺動体１２０は、図１７にて示すごとく、傾斜面１２１ａと傾斜面１１１ｃとの係合を維持する。
【０１７２】
然る後、上記第１実施形態にて述べたと同様にセキュリティ板Ｓを閉じると、固定枠６１が、その立ち上がり壁６１ｇにて、下側摺動体１２０にその前側から当接することで、上述した両傾斜面１１１ｃ、１２１ａ間の係合を良好に維持する。
【０１７３】
以上のように、本第２実施形態においては、球噛みの解消が上述のようになされたとき、落下する遊技球が球落下防止装置ＢＣによりその球受けレール１００ａにより確実に受け止められてアウト口３６内に排出されていくので、球噛み解消の際の遊技球がセキュリティ板Ｓのガラス板６４と内レール３４との間から当該内レール３４の下側へ落下する事態を未然に防止することができる。その他の作用効果は上記第１実施形態と同様である。
【０１７４】
（第３実施形態）
図２０〜図２２は、本発明に係るパチンコ遊技機の第３実施形態を示している。この第３実施形態では、セキュリティ板Ｓａが、上記第１実施形態にて述べたセキュリティ板Ｓに代えて採用されている。
【０１７５】
当該セキュリティ板Ｓａは、上記第１実施形態にて述べたセキュリティ板Ｓに代えて、枠体Ｈに前後方向に開閉可能に支持されているもので、このセキュリティ板Ｓは、図２２〜図２５のいずれかに示すように、矩形状の保持枠１６１を備えている。
【０１７６】
保持枠１６１は、上壁１６１ａと、左壁１６１ｃと、右壁１６１ｂと、下壁１６１ｄとにより、矩形枠状に形成されており、この保持枠１６１は、図２２にて示すごとく、上記第１実施形態にて述べた三角状の上ヒンジ板５１及び三角状の下ヒンジ板５２により、枠体Ｈに前後方向に回動可能に支持されている。このことは、セキュリティ板Ｓａが上述のごとく枠体Ｈに前後方向に開閉可能に支持されていることを意味する。
【０１７７】
本第３実施形態において、上ヒンジ板５１は、その前端角部にて、保持枠１６１の上壁１６１ａの左端部にヒンジピン５３により回動可能に支持されており、当該上ヒンジ板５１の後端部は、２つのネジにより、枠体Ｈの枠部４１の上壁部４１ａの左端部にその下側から締着されている。
【０１７８】
一方、下ヒンジ板５２は、その前端角部にて、保持枠ぬ６１の下壁ぬ６１ｄの左端部にヒンジピン５４により回動可能に支持されており、当該下ヒンジ板５２の後端部は、２つのネジにより、枠体Ｈの枠部４１の下壁部の左端部にその上側から締着されている。これにより、保持枠１６１は、上述のごとく、枠体Ｈに前後方向に回動可能に支持されている。
【０１７９】
また、保持枠１６１において、上壁１６１ａは、図２５に示すように、左右方向に所定間隔を置いて２つの貫通した直線状長穴部１６１ｅを有しており、各直線状長穴部１６１ｅは、上壁１６１ａの幅方向（当該パチンコ遊技機の前後方向）に沿い直線的に長く形成されている。当該各直線状長穴部１６１ｅは、それぞれ、後述する各案内ピン１６３ｇ（図２５参照）の外径よりも僅かに大きな左右方向の幅を有している。
【０１８０】
下壁１６１ｄは、上壁１６１ａの各直線状長穴部１６１ｅに対向する各直線状長穴部（それぞれ符号１６１ｅにて示す）を有しており、当該下壁１６１ｄの各直線状長穴部１６１ｅは、上壁１６１ａの各直線状長穴部１６１ｅと同様の形状を有するように、下壁１６１ｄに前後方向に長手状に形成されている。
【０１８１】
また、保持枠１６１は、図２５にて示すごとく、上下両側２組の各両捩りばね１６１ｇを有している。両上側コイル状捩りばね１６１ｇは、それぞれ、その各コイル部にて、各対応の上側支持ピン１６１ｈに同軸的に挿入されている。なお、各上側支持ピン１６１ｈは、保持枠１６１の上壁１６１ａのうちその各直線状長穴部１６１ｅの近傍部位から上方へ突設されている。
【０１８２】
しかして、当該両上側コイル状捩りばね１６１ｇは、それぞれ、その各一端部にて、各対応の上側案内ピン１６３ｇに係止されており、両上側コイル状捩りばね１６１ｇの各他端部は、保持枠１６１の上壁１６１ａのうち各対応の直線状長穴部１６１ｅの後端部の近傍に係止されている。これにより、両上側案内ピン１６３ｇは、両上側コイル状捩りばね１６１ｇにより、その各一端部を基準に、上壁１６１ａのうち各対応の直線状長穴部１６１ｅの後端部に向けて押し付けられるように付勢されている。
【０１８３】
両下側コイル状捩りばね１６１ｇは、それぞれ、その各コイル部にて、各対応の下側支持ピン１６１ｈに同軸的に挿入されている。なお、各下側支持ピン１６１ｈは、保持枠１６１の下壁１６１ｄのうちその各直線状長穴部１６１ｅの近傍部位から下方へ突設されている。
【０１８４】
しかして、当該両下側コイル状捩りばね１６１ｇは、それぞれ、その各一端部にて、各対応の下側案内ピン１６３ｇに係止されており、両下側コイル状捩りばね１６１ｇの各他端部は、保持枠１６１の下壁１６１ｄのうち各対応の直線状長穴部１６１ｅの後端部の近傍に係止されている。これにより、両下側案内ピン１６３ｇは、両下側コイル状捩りばね１６１ｇにより、その各一端部を基準に、下壁１６１ｄのうち各対応の直線状長穴部１６１ｅの後端部に向けて押し付けられるように付勢されている。
【０１８５】
また、セキュリティ板Ｓａは、図２５〜図２７にて示すごとく、回動装置Ｂ及び変位板部材１６２を備えている。
【０１８６】
回動装置Ｂは、保持枠１６１にその内側から上壁１６１ａ、右壁１６１ｂ及び下壁１６１ｄに沿うようにコ字状の構成にて組み付けられており、当該回動装置Ｂは、後述のごとく変位板部材１６２を前後方向に変位させる変位機構Ｂ１と、後述のごとく保持枠１６１を枠体Ｈに解除可能にロックするロック機構Ｂ２とにより構成されている。
【０１８７】
変位機構Ｂ１は、図２５にて示すごとく、駆動機構部Ｂａと、回動伝達機構部Ｂｂ、上側回動カム機構部Ｂｃと、下側回動カム機構部Ｂｄとを備えている。
【０１８８】
駆動機構部Ｂａは、互いに噛合する両傘歯車１７１ａ、１７１ｂを有しており、傘歯車１７１ａは、前後方向軸１７１ｃ及び軸受け１７６を介し保持枠１６１の右壁１６１ｂにその左面側から支持されている。ここで、前後方向軸１７１ｃは、前後方向に沿い延在するように、軸受け１７６により保持枠１６１の右壁１６１ｂにその左面側から回動自在に支持されており、この前後方向軸１７１ｃは、その前端部にて、軸状工具Ｔの軸部Ｔａに同軸的にかつ係脱可能に連結されるようになっている。また、傘歯車１７１ａは、その歯部にて後方を臨むように前後方向軸１７１ｃの後端部に同軸的に支持されて、工具Ｔに連動する前後方向軸１７１ｃの回動方向と同一方向に回動する。
【０１８９】
また、傘歯車１７１ｂは、その歯部にて下方を臨むように、回動伝達機構部Ｂｂの上下方向軸１７１ｄの軸方向中間部位に同軸的に支持されている。これにより、傘歯車１７１ｂは、その軸にて、傘歯車１７１ａに軸と直交するように位置して、当該傘歯車１７１ａと噛合し、この傘歯車１７１ａの回動に連動して上下方向軸１７１ｄの軸周りに沿い一方向に回動する。このことは、駆動機構部Ｂａが、前後方向軸１７１ｃの軸周り方向回動を、この前後方向軸１７１ｃに対し直交する上下方向軸１７１ｄの軸周り方向回動に変換することを意味する。
【０１９０】
回動伝達機構部Ｂｂは、両傘歯車１７２ｂ、１７３ｂ（後述する）にそれぞれ噛合する両傘歯車１７２ａ、１７３ａを有しており、これら両傘歯車１７２ａ、１７３ａは、上下方向軸１７１ｄ及び両軸受け１７９、１８０を介し保持枠１６１の右壁１６１ｂにその左面側から支持されている。
【０１９１】
ここで、上下方向軸１７１ｄは、その上端部にて、保持枠１６１の右壁１６１ｂの左面上端部に軸受け１７９を介し回転自在に支持されており、この上下方向軸１７１ｄの下端部は、右壁１６１ｂの左面下端部に軸受け１８０を介し回転自在に支持されている。これにより、上下方向軸１７１ｄは、保持枠１６１の右壁１６１ｂに沿いその左面にて上下方向に延在するように回動自在に支持されている。
【０１９２】
また、傘歯車１７２ａは、その歯部にて、上下方向軸１７１ｄの上方を臨むように、上下方向軸１７１ｄの上端部に同軸的に支持されており、傘歯車１７３ａは、その歯部にて、上下方向軸１７１ｄの下方を臨むように、上下方向軸１７１ｄの下端部に同軸的に支持されている。これにより、両傘歯車１７２ａ、１７３ａは、ともに、前後方向軸１７１ｃの回動に伴いこの前後方向軸１７１ｃと同一方向に回動する。
【０１９３】
上側回動カム機構部Ｂｃは、回動伝達機構部Ｂｂの傘歯車１７２ａに噛合する傘歯車１７２ｂと、左右両側カム部材１７４とを有している。傘歯車１７２ａは、その歯部にて右方を臨むように、左右方向軸１７２ｃの右端部に支持されて、傘歯車１７２ａと噛合する。
【０１９４】
ここで、左右方向軸１７２ｃは、その左端部にて、軸受け１８３（図２５参照）を介し保持枠１６１の上壁１６１ａにその下面左端部側から回動自在に支持されており、当該左右方向軸１７２ｃの右端部は、保持枠１６１の上壁１６１ａにその下面右端部側から回動自在に支持されている。これにより、左右方向軸１７２ｃは、保持枠１６１の上壁１６１ａに沿いその下面にて左右方向に延在するように回動自在に支持されて、傘歯車１７２ｂをその軸にて傘歯車１７２ａの軸に直交させるようにして当該傘歯車１７２ａに噛合させる。このことは、上側回動カム機構部Ｂｃが、上下方向軸１７１ｄの軸周り方向回動を、この上下方向軸１７１ｄに直交する左右方向軸１７２ｃの軸周り方向回動に変換することを意味する。
【０１９５】
左右両側カム部材１７４は、それぞれ、その各軸孔部にて、左右方向軸１７２ｃの軸方向中間部位に互いに間隔をおいて同軸的に支持されており、当該左右両側カム部材１７４は、左右方向軸１７２ｃに連動して同一方向に回動する。
【０１９６】
また、左右両側カム部材１７４は、それぞれ、そのカム面にて、変位板部材１６２の保持枠１６３（後述する）の上壁１６３ｃにその後面側から係合するように、左右方向軸１７２ｃの軸方向中間部位に支持されている。
【０１９７】
ここで、左右両側カム部材１７４の各々のカム面は、図２８〜図３０に示すように、平面状カム面部１７４ａと、円弧面状カム面部１７４ｂとを有している。平面状カム面部１７４ａは、後述のごとく、変位板部材１６２のガラス板１６４をその原位置から前進位置まで（或いは前進位置から原位置まで）変位させるように縦断面直線状に形成されている。これにより、左右両側カム部材１７４の各々は、カム面部１７４ａによる保持枠１６３の上壁１６３ｃとの係合のもと、図２８にて示す回動位置（以下、上側原回動角位置ともいう）から図２９及び図３０にて示す回動位置（以下、前進回動角位置ともいう）まで時計方向へ回動し、また、上記前進回動角位置から上記原回動角位置まで反時計方向へ回動する。
【０１９８】
円弧面状カム面部１７４ｂは、左右両側カム部材１７４の各々の軸孔部の中心（左右方向軸１７２ｃの軸心）を中心とする外方へ凸な縦断面円弧状にて、カム面部１７４ａの反時計方向端部から反時計方向へ形成されている。これにより、左右両側カム部材１７４の各々は、円弧面状カム面部１７４ｂによる保持枠１６３の上壁１６３ｃとの係合のもと、変位板部材１６２のガラス板１６４を上記前進位置に維持する。
【０１９９】
下側回動カム機構部Ｂｄは、図２５にて示すごとく、回動伝達機構部Ｂｂの傘歯車１７３ａに噛合する傘歯車１７３ｂと、左右両側カム部材１７５とを有している。傘歯車１７３ａは、その歯部にて右方を臨むように、左右方向軸１７３ｃの右端部に支持されて、傘歯車１７３ａと噛合する。
【０２００】
ここで、左右方向軸１７３ｃは、その左端部にて、軸受け１８６（図２５参照）を介し保持枠１６１の下壁１６１ｄにその上面左端部側から回動自在に支持されており、当該左右方向軸１７３ｃの右端部は、下壁１６１ｄにその上面右端部側から回動自在に支持されている。これにより、左右方向軸１７３ｃは、保持枠１６１の下壁１６１ｄに沿いその上面にて左右方向に延在するように回動自在に支持されて、傘歯車１７３ｂをその軸にて傘歯車１７３ａの軸に直交させるようにして当該傘歯車１７３ａに噛合させる。このことは、下側回動カム機構部Ｂｄが、上下方向軸１７１ｄの軸周り方向回動を、この上下方向軸１７１ｄに直交する左右方向軸１７３ｃの軸周り方向回動に変換することを意味する。
【０２０１】
左右両側カム部材１７５は、それぞれ、その各軸孔部にて、左右方向軸１７３ｃの軸方向中間部位に互いに間隔をおいて同軸的に支持されて左右両側カム部材１７４に対向しており、当該左右両側カム部材１７５は、左右方向軸１７３ｃに連動して同一方向に回動する。
【０２０２】
また、左右両側カム部材１７５は、それぞれ、そのカム面にて、変位板部材１６２の保持枠１６３（後述する）の下壁１６３ｄにその後面側から係合するように、左右方向軸１７３ｃの軸方向中間部位に支持されている。
【０２０３】
ここで、左右両側カム部材１７５の各々のカム面は、左右両側カム部材１７４の各々のカム面と同様に構成されており、当該左右両側カム部材１７５の各々のカム面は、図３１〜図３３に示すように、平面状カム面部１７４ａ及び円弧面状カム面部１７４ｂにそれぞれ対応する平面状カム面部１７５ａ及び円弧面状カム面部１７５ｂを有する。
【０２０４】
しかして、平面状カム面部１７５ａは、後述のごとく、変位板部材１６２のガラス板１６４をその原位置から前進位置まで（或いは前進位置から原位置まで）変位させるように縦断面直線状に形成されている。これにより、左右両側カム部材１７５の各々は、カム面部１７５ａによる保持枠１６３の下壁１６３ｃとの係合のもと、図３１にて示す回動位置（以下、下側原回動角位置ともいう）から図３２及び図３３にて示す回動位置（下側前進回動角位置ともいう）まで時計方向へ回動し、また、上記前進回動角位置から上記原回動角位置まで反時計方向へ回動する。
【０２０５】
円弧面状カム面部１７５ｂは、左右両側カム部材１７５の各々の軸孔部の中心（左右方向軸１７３ｃの軸心）を中心とする外方へ凸な縦断面円弧状にて、カム面部１７５ａの時計方向端部から時計方向へ形成されている。これにより、左右両側カム部材１７５の各々は、円弧面状カム面部１７５ｂによる保持枠１６３の下壁１６３ｄとの係合のもと、変位板部材１６２のガラス板１６４を上記前進位置に維持する。
【０２０６】
ロック機構Ｂ２は、図２５にて示すごとく、傘歯車１９１と、ロックレバー１９２とを有している。傘歯車１９１は、その軸にて、保持枠１６１の右壁１６１ｂの上下方向中間部位にその左面側から軸受け１９３を介し回動自在に支持されており、この傘歯車１９１は、その歯部にて、傘歯車１７１ａの歯部に同軸的に対向するように位置して、傘歯車１７１ｂと噛合する。
【０２０７】
ロックレバー１９２は、その基端部にて、傘歯車１９１の軸に同軸的に支持されており、このロックレバー１９２は、その基端部から傘歯車１９１の軸に対し直交するように延出されて、枠体Ｈの右壁４１ｂに設けた係止部材４１ｃに係止可能となっている。本第３実施形態では、係止部材４１ｃは、その両脚部にて、枠体Ｈの右壁４１ｂの前面に装着されており、当該係止部材４１ｃは、そのコ字状係止部４１ｄにて、上記両脚部の各対向端部から前方へコ字状に突出されている。
【０２０８】
しかして、ロックレバー１９２は、図２６にて図示時計方向への回動により、その延出端部にて、係止部材４１ｃの係止部４１ｄ内に係止し、また、図２７にて示すごとく、反時計方向への回動により、係止部材４１ｃの係止部４１ｄから解離する。
【０２０９】
このことは、ロック機構Ｂ２は、図２６にて示す位置にあるロックレバー９２の係止部材４１ｃのコ字状係止部４１ｄ内への係止により、保持枠６１（換言すればセキュリティ板Ｓａ）を枠体Ｈにロックし、図２７にて示すごとく反時計方向に回動するロックレバー１９２の係止部材４１ｃのコ字状係止部４１ｄからの解離により、上記ロックを解除することを意味する。
【０２１０】
変位板部材１６２は、図２２〜図２５のいずれかにて示すように、正八角形状の保持枠１６３と、正八角形状のガラス板１６４とを備えており、ガラス板１６４は、保持枠１６３の正八角形状中空部内に嵌め込まれている。なお、保持枠１６３は、右壁１６３ａ、左壁１６３ｂ、上壁１６３ｃ、下壁１６３ｄ及び各傾斜壁１６３ｅによって、上述のごとく、正八角形状に形成されている。
【０２１１】
このように構成した変位板部材１６２は、図２２に示すように、次のようにして、保持枠１６１の上壁１６１ａと下壁１６１ｄの間にて当該上壁１６１ａ、下壁１６１ｄに対し前後方向に変位可能となるように、当該保持枠１６１の矩形状中空部内に組み付けられている。
【０２１２】
ここで、変位板部材１６２は、上下両側２組の各両案内ピン１６３ｇ（図２５参照）を有しており、両上側案内ピン１６３ｇは、それぞれ、保持枠１６３の上壁１６３ｃのうち保持枠１６１における上壁１６１ａの各対応の直線状長穴部１６１ｅに対する各対応部位からそれぞれ上方へ突出されている。これにより、両上側案内ピン１６３ｇは、それぞれ、各対応の直線状長穴部１６１ｅ内にその長手方向（前後方向）へ相対変位可能に挿入されている。なお、両上側案内ピン１６３ｇは、上壁１６３ａのうち上壁１６１ａの両直線状長穴部１６１ｅに対する各対応部位に形成された両圧入孔部１６３ｆの各々に圧入されて上方へ突出している。
【０２１３】
両下側案内ピン１６３ｇは、それぞれ、保持枠１６３の下壁１６３ｄのうち保持枠１６１における下壁１６１ｄの各対応の直線状長穴部１６１ｅに対する各対応部位からそれぞれ下方へ突出されて、当該各対応の直線状長穴部１６１ｅ内にその長手方向（前後方向）へ相対変位可能に挿入されている。なお、両下側案内ピン１６３ｇは、下壁１６３ｄのうち上下壁１６１ｄの両直線状長穴部１６１ｅに対向する各部位にて形成された両圧入孔部の各々に圧入されて下方へ突出している。
【０２１４】
これにより、変位板部材１６２は、上述のごとく、保持枠１６１内にてその上下壁１６１ａ、１６１ｄの間にて当該上下壁１６１ａ、１６１ｄに対し各直線状長穴部１６１ｅに沿い前後方向に変位可能となっている。
【０２１５】
本第３実施形態では、後述のごとく変位板部材１６２の前方への変位に伴いガラス板１６４が遊技盤Ｐの盤面３１との間の遊技球の球噛みの解消可能な位置（変位板部材１６２の前進位置）に達したときに左右上側案内ピン１６３ｇが左右上側直線状長孔部１６１ｅ内にて達する各前進位置を、当該左右上側直線状長孔部１６１ｅの各所定の前後方向中間部位とするとともに、左右下側案内ピン１６３ｇが左右下側直線状長孔部１６１ｅ内にて達する各前進位置を、当該左右下側直線状長孔部１６１ｅの各所定の前後方向中間部位に対応させるように設定してある。従って、工具Ｔを上述のごとく係止部材１４１ｃとの係止から解離させるには、工具Ｔを上述のようなさらなる時計方向への回動させることで、左右上側案内ピン１６３ｇを左右上側直線状長孔部１６１ｅの各後端部まで移動させるとともに左右下側案内ピン１６３ｇを左右下側直線状長孔部１６１ｅの各後端部まで移動させる。
【０２１６】
また、上述のように変位板部材１６２を保持枠１６１内に組み付けることで、保持枠１６１の各隅角部と保持枠１６３の各々対応する傾斜壁１６３ｅとの間には、三角形状の空所Ｇａが形成され、各空所Ｇａは、後述のごとく、上下方向軸７１ｄ及び各左右方向軸７２ｃ、７３ｃを介し各直角三角柱形状の装飾部品１６０ａの突出可能に、図２２にて例示するごとく、形成されている。
【０２１７】
各装飾部品１６０ａは、その後端部にて、保持枠１６１の上下左右の各隅角部に支持されており、当該各装飾部品６０ａは、各対応の空所Ｇａを通り前方へ前扉Ｄの各対応の貫通穴部１６に挿通可能に突出されている。
【０２１８】
ここで、各装飾部品１６０ａのうち、保持枠１６１の左上隅角部に位置する装飾部品１６０ａ（左上隅角側装飾部品１６０ａ）は、保持枠１６１の左上隅角部に形成される空所Ｇａ（左上隅角側空所Ｇａ）のうち左右方向軸１７２ｃの下側の部位を通り前方へ突出している。保持枠１６１の左下隅角部に位置する装飾部品１６０ａは、保持枠１６１の左下隅角部に形成される空所Ｇａ（左下隅角側空所Ｇａ）のうち左右方向軸１７３ｃの上側の部位を通り前方へ突出している。
【０２１９】
保持枠１６１の右上隅角部に位置する装飾部品１６０ａ（右上隅角側装飾部品１６０ａ）は、保持枠１６１の右上隅角部に形成される空所Ｇａ（右上隅角側空所Ｇａ）のうち左右方向軸１７２ｃ及び上下方向軸１７１ｄの交差部の内側の部位を通り前方へ突出している。また、保持枠１６１の右下隅角部に位置する装飾部品１６０ａ（右下隅角側装飾部品１６０ａ）は、保持枠１６１の右下隅角部に形成される空所Ｇａ（右下隅角側空所Ｇａ）のうち左右方向軸１７３ｃ及び上下方向軸１７１ｄの交差部の内側の部位を通り前方へ突出している。なお、前扉Ｄの各貫通穴部１６は、各装飾部品１６０ａと干渉しあわないように形成されている。
【０２２０】
以上のように構成した本第３実施形態において、当該パチンコ遊技機では、前扉Ｄが、セキュリティＳａとともに、遊技盤Ｐを介し枠体Ｈを閉じた状態にあるものとする。
【０２２１】
このような状態では、図２８に示すように、回動装置Ｂの両上カム部材１７４が。その各平面状カム面部１７４ａにて、保持枠１６３の上壁１６３ｃの後面と係合し、両上側案内ピン１６３ｇは、それぞれ、図２２及び図２３に示すように、各対応の上側コイル状捩りばね１６１ｇのばね力により上壁１６１ａの各対応の直線状長穴部１６１ｅの後端部に押し付けられた状態に保持される。また、両下カム部材１７５が、その平面状カム面部１７５ａにて、図３１に示すように、保持枠１６３の下壁１６３ｄの後面と係合し、両下側案内ピン１６３ｇは、それぞれ、各対応の下側コイル状捩りばね１６１ｇのばね力により下壁１６１ａの各対応の直線状長穴部１６１ｅの後端部に押し付けられた状態に保持される。これにより、変位板部材１６２は、図２４に示すように、上記原位置に保持されている。
【０２２２】
また、ロック機構Ｂ２は、図３４に示すように、ロックレバー１９２にて、枠体Ｈの係止部材４１ｄの係止部４１ｃに係止して、セキュリティ板Ｓａを枠体Ｈにロックしている。
【０２２３】
このような状態においては、セキュリティ板Ｓａが、遊技盤Ｐを介し上記遊技機本体を閉じている。このため、セキュリティ板Ｓａと上記遊技機本体との間において隙間がわずかでも生じることがない。
【０２２４】
従って、隙間が、前扉Ｄと上記遊技機本体との間に生じていても、上述のようにセキュリティ板Ｓａと上記遊技機本体との間には隙間が発生しない。このような状態においては、セキュリティ板Ｓａが遊技盤Ｐを閉じている。
【０２２５】
このため、不正行為者が、当該パチンコ遊技機に対して不正行為を行うべく、前扉Ｄと上記遊技機本体との間の隙間からピアノ線などを進入させたとしても、遊技盤Ｐの盤面３１はセキュリティ板Ｓａにより覆われていることから、ピアノ線などをセキュリティ板Ｓａと上記遊技機本体との間から進入させることは困難である。このことは、上述した不正行為を未然に防止し得ることを意味する。
【０２２６】
このような状態において、当該パチンコ遊技機による遊技過程にて、遊技球が、変位板部材１６２と遊技盤Ｐの盤面３１との間に挟まれることで、いわゆる球噛みが、遊技盤Ｐの盤面３１と変位板部材１６２との間に発生した場合、セキュリティ板Ｓａが、上述のごとく、ロック機構Ｂ２によりロックされた状態で、閉じたままとなっている。従って、前扉Ｄを開いてセキュリティ板Ｓａを開こうとしても開くことはできない。
【０２２７】
そこで、例えば、ホールの作業者が、軸状工具Ｔの把持部を把持して、軸部Ｔａを前扉Ｄの工具挿入穴部１８に挿入して、軸部Ｔａを回動装置Ｂの前後方向軸１７１ｃに連結する。
【０２２８】
そして、軸状工具Ｔを各捩りばね１６１ｇの付勢力に抗して図２６に円弧状矢印で示すように時計方向へ回動操作すると、前後方向軸機構部Ｂａにおいて、前後方向軸１７１ｃが軸状工具Ｔと同一方向へ回動し、傘歯車１７１ａが前後方向軸１７１ｃと同一方向へ回動する。
【０２２９】
これに伴い、傘歯車１７１ｂが、傘歯車１７１ａとの噛合のもとに当該傘歯車１７１ａにより回動されて、回動伝達機構部Ｂｂの上下方向軸１７１ｄが、両傘歯車１７２ａ、１７３ａとともに、傘歯車１７１ｂと同一方向（図２６にて図示矢印方向参照）へ回動する。
【０２３０】
上述のように傘歯車１７２ａが回動すると、上側回動カム機構部Ｂｃの傘歯車１７２ｂが、傘歯車１７２ａとの噛合のもとに、当該傘歯車１７２ａにより回動されて、上側左右方向軸１７２ｃ及び両上カム部材１７４とともに、図２６にて図示矢印方向に回動する。また、上述のように傘歯車１７３ａが回動すると、下側回動カム機構部Ｂｄの傘歯車１７３ｂが、傘歯車１７３ａとの噛合のもとに、当該傘歯車１７３ａにより回動されて、下側左右方向軸１７３ｃ及び両下側カム部材１７５とともに、図２６にて図示矢印方向に回動する。
【０２３１】
また、上述のように両上カム部材１７４が回動すると、変位板部材１６２における保持枠１６３の上壁１６３ｃが、両上カム部材１７４により、その各平面状カム面部１７４ａにて、前方へ押動される（図２８参照）。このとき、両上側案内ピン１６３ｇは、それぞれ、両上側捩りばね１６１ｇの各付勢力に抗して各対応の直線状長穴部１６１ｅに沿い前方へ移動する。また、上述のように両上カム部材１７５が回動すると、保持枠１６３の下壁１６３ｄが、両上カム部材１７５により、その各平面状カム面部１７５ａにて、前方へ押動される（図３１参照）。このとき、両下側案内ピン１６３ｇは、それぞれ、両下側捩りばね１６１ｇの各付勢力に抗して各対応の直線状長穴部１６１ｅに沿い前方へ移動する。以上により、変位板部材１６２が、保持枠１６１内にて原位置から前方へ変位する。
【０２３２】
このような状態において、両上カム部材１７４が、それぞれ、各平面状カム面部１７４ａによる保持枠１６３の上壁１６３ｃの後面との係合を終えて、図２９及び図２５にて示すごとく、各円弧状カム面部１７５ｂにより保持枠１６３の上壁１６３ｃの後面と係合するとともに、両下カム部材１７５が、それぞれ、各平面状カム面部１７５ａによる保持枠１６３の下壁１６３ｄの後面との係合を終えて、図３２及び図３３にて示すごとく、各円弧状カム面部１７５ｂにより保持枠１６３の下壁１６３ｄの後面と係合する。このとき、両上側案内ピン１６３ｇ及び両下側案内ピン１６３ｇは、それぞれ、保持枠１６１の各対応の直線状長穴部１６１ｅの前端部に係合する。
【０２３３】
このことは、変位板部材１６２が上記前進位置に変位して、ガラス板１６４と遊技盤Ｐの盤面３１との間隔を、遊技球の直径よりも、一様に拡大することを意味する。その結果、遊技球が、その球噛みから容易に解放され得る。
【０２３４】
このように球噛みが解消した状態においては、セキュリティ板Ｓａは、上述のごとく、閉じたままでロック機構Ｂ２によりロックされている。このとき、セキュリティ板Ｓａにおいては、変位板部材１６２と遊技盤Ｐの盤面３１との間の間隔が上述のように広くなっても、当該変位板部材６２と保持枠１６１との間の関係は、変位板部材１６２の原位置における場合と同様であるので、何ら不正を行う余地は発生しない。
【０２３５】
上述のようにして遊技球の球噛みを解消した後は、工具Ｔを上述とは逆に反時計方向に回動させると、前後方向軸１７１ｃが傘歯車１７１ａとともに反時計方向へ回動し、傘歯車１７１ｂが、傘歯車１７１ａとの噛合のもと、上下方向軸１７１ｄ及び両傘歯車１７２ａ、１７３ａとともに図２６にて図示矢印とは反対方向に回動する。
【０２３６】
これに伴い、傘歯車１７２ｂが、傘歯車１７２ａとの噛合のもとに、上側左右方向軸１７２ｃ及び両上カム部材１７４とともに、図２６にて図示矢印とは反対方向に回動し、一方、傘歯車１７３ｂが、傘歯車１７３ａとの噛合のもとに、下側左右方向軸１７３ｃ及び両下カム部材１７５とともに、図２６にて図示矢印とは反対方向に回動する。
【０２３７】
上述のように両上カム部材１７４が図２６にて図示矢印とは反対方向に回動すると、変位板部材１６２における保持枠１６３の上壁１６３ｃが、両上カム部材１７４の各円弧状カム面部１７４ｂからの解離に伴い各平面状カム面部１７４ａと係合する。また、上述のように両下カム部材１７５が図２６にて図示矢印とは反対方向に回動すると、保持枠１６３の下壁１６３ｄが、両上カム部材１７５の各円弧状カム面部１７５ｂからの解離に伴い各平面状カム面部１７５ａと係合する。
【０２３８】
このように、保持枠１６３の上壁１６３ｃ及び下壁１６３ｄが、それぞれ、両上カム部材１７４の各平面状カム面部１７４ａ及び両下カム部材１７５の平面状カム面部１７５に係合すると、両上側案内ピン１６３ｇ及び両下側案内ピン１６３ｇが、両上側捩りばね１６１ｇ及び両下側捩りばね１６１ｇの後方への付勢力のもとに、それぞれ各対応の直線状長穴部１６１ｅに沿い後方へ引っ張られて、保持枠６３を後方へ変位させる。
【０２３９】
そして、両上側案内ピン１６３ｇ及び両下側案内ピン１６３ｇが、各対応の直線状長穴部１６１ｅの後端部に係止すると、変位板部材１６２は上記原位置に戻る。これに伴い、ロックレバー１９２は、図３４に示す元の状態に戻るが、セキュリティ板Ｓａをロックしたままにある。上述のように変位板部材１６２が原位置に戻った後は、工具Ｔを前扉Ｄの工具挿入穴部１８から抜き取る。
【０２４０】
また、何らかの理由によりセキュリティ板Ｓａを開く必要が発生した場合には、ホールの作業者が、キーＫを用いて前扉Ｄの施錠装置１７を解錠して前扉Ｄを開き、セキュリティ板Ｓａを前面に露出させる。その後、工具Ｔの把持部を把持して、軸部Ｔａを回動装置Ｂの前後方向軸１７１ｃに連結する。
【０２４１】
そして、工具Ｔを図２６にて示すごとくさらに時計方向に回動させると、前後方向軸１７１が、同様に時計方向へ回動し、ロックレバー１９２が、図３６に示すように、係止部材４１ｄの係止部４１ｃから解離して、セキュリティ板Ｓａが、枠体Ｈに対するロック状態から解除される。これにより、セキュリティ板Ｓａは枠体Ｈから開放可能になる。
【０２４２】
このような状態において、作業者がセキュリティ板Ｓａを開け、必要な処理を終了した後は、作業者は、セキュリティ板Ｓａを閉じ、工具Ｔの把持部を把持して、軸部Ｔａを回動装置Ｂの前後方向軸１７１ｃに連結する。そして、軸状工具Ｔを回動操作することにより、ロックレバー１９２が係止部材４１ｄの係止部４１ｃに係止すれば、セキュリティ板Ｓａは枠体Ｈにロックされる。その後、作業者は前扉Ｄを閉じ、キーＫを用いて施錠装置１７を施錠する。
【０２４３】
また、本第３実施形態では、セキュリティ板Ｓａは、上述したごとく、各装飾部材１６０ａを備えるように構成されているが、このような構成とした根拠について説明する。
【０２４４】
パチンコ遊技機では、一般的に、前扉に電飾部品等の装飾部品を設けることで、演出効果を高めることが行われている。ここで、パチンコ遊技機において、遊技盤は定期的に交換されるものの、前扉は交換されることなくそのまま維持されることが通常である。これでは、パチンコ遊技機としての装飾部品による演出効果を遊技盤の交換にあわせてさらに高めることはできない。
【０２４５】
このため、本第１実施形態では、各装飾部品１６０ａが、前扉Ｄではなく、セキュリティ板Ｓａに突設されているので、セキュリティ板Ｓａを遊技盤Ｐと共に交換すれば、この交換毎に、パチンコ遊技機としての装飾部品による演出効果を新たに高めることができる。
【０２４６】
以上説明したように、本第３実施形態においては、セキュリティ板Ｓａが遊技盤Ｐを有する遊技機本体と前扉Ｄとの間に開閉可能に支持されている。
【０２４７】
これによれば、セキュリティ板Ｓａを閉じたときには、当該セキュリティ板Ｓａと遊技機本体との間には隙間が形成されない。従って、前扉Ｄと遊技機本体との間の隙間からピアノ線などを挿入させ得たとしても、当該ピアノ線などを、セキュリティ板Ｓａと遊技機本体との間にまで挿入することは困難である。
【０２４８】
このため、上記ピアノ線などは、遊技盤Ｐの盤面３１に到達し得ず、その結果、上述のような不正行為を未然に防止することができる。
【０２４９】
また、セキュリティ板Ｓａは、上述のごとく、ロック機構Ｂ２により枠体Ｈにロックされるので、セキュリティ板Ｓａを自由に開けることができない。このため、当該パチンコ遊技機におけるセキュリティが向上する。
【０２５０】
また、球噛みが発生した場合には、上述のごとく、前扉Ｄを閉じた状態でセキュリティ板Ｓａをロックしたままにて、軸状工具Ｔを用いて変位板部材１６２を前方へ変位させることで、当該変位板部材１６２と遊技盤Ｐとの間隔を遊技球の直径よりも拡大させるようにしたため、前扉Ｄ及びセキュリティ板Ｓａを開けることなく上記球噛みを解消することが可能になり、便利である。このとき、セキュリティ板Ｓａは、上述のごとくロックしたままであるので、当該パチンコ遊技機のセキュリティは、球噛みの解消前と同様に向上する。
【０２５１】
また、本第３実施形態においては、上述のごとく、各装飾部品１６０ａをセキュリティ板Ｓａに備えるようにしたので、上述の作用効果と相俟って、各装飾部品１６０ａによる演出効果を、遊技盤Ｐ及びセキュリティ板Ｓａの交換毎に、高めることができる。
【０２５２】
なお、セキュリティ板Ｓａの形状は、上述した第３実施形態では四角形状としたが、遊技盤Ｐの盤面３１における遊技領域３２の形状に対応する形状（略円形形状）で構成してもよく、装飾部品１６０ａがこのセキュリティ板の外側に配置されるようにしてもよい。また、上述した第３実施形態では、セキュリティ板Ｓａの変位板部材１６２を前後方向へ移動可能に構成したが、セキュリティ板Ｓａの全体を前後方向へ変位可能に構成してもよい。
【０２５３】
（第４実施形態）
次に、本発明に係るパチンコ遊技機の第４実施形態について説明する。この第４実施形態では、上記第３実施形態にて述べたパチンコ遊技機の遊技盤Ｐにおいて、上記第２実施形態にて述べた球落下防止装置ＢＣが付加的に採用されており、当該球落下防止装置ＢＣは、上記第２実施形態と同様に、遊技盤Ｐのうち内レール３４の下端部近傍部位（アウト口３６の近傍部位）に組み付けられている（図１３参照）。その他の構成は、上記第３実施形態と同様である。
【０２５４】
このように構成した本第４実施形態において、セキュリティＳａの変位板１６３のガラス板１６４が、セキュリティ板Ｓａの閉状態において、原位置にあるとき、球落下防止装置ＢＣの球受けレール１００ａは、上記第２実施形態と同様に、コイルスプリング１３０により上側摺動体１１０の摺動体本体１１１を介し前方へ付勢されて、原位置にあるガラス板１６４にその後面側から当接している。
【０２５５】
このとき、上側摺動体１１０は、厚肉部１１１ａの下面にて、下側摺動体１２０の摺動体本体１２１の上面後部上に位置するとともに、下側摺動体１２０は、摺動体本体１２１にて、セキュリティ板Ｓａの枠体１６１の立ち上がり壁部（枠体６１の立ち上がり壁部６１ｇに対応）にその後方から当接するとともに、鍔部１２２ｂにて、ケーシング１００ｃの後方突出壁１０４から後方に離れて位置している（図１４参照）。
【０２５６】
このような状態において、上記第３実施形態と同様に球噛みの発生に伴う変位板１６３のガラス板１６４の前進位置への変位に応じて、上側摺動体１１０は、摺動体本体１１１にて、コイルスプリング１３０による付勢のもと、前方へ摺動するととともに、球受けレール１００ａが、上側摺動体１１０により押し出されて前方へ変位する（図１５参照）。
【０２５７】
このことは、球受けレール１００ａが、ガラス板１６４の前進に追随しながら前方へ変位することを意味する（図１８参照）。なお、このとき、下側摺動体１２０は、鍔部１２２ｂにて、ケーシング１００の後方突壁１０４の下側貫通穴部１０４ｂの後端開口外周部に、コイルスプリング１４０の付勢力に抗して、係止する。
【０２５８】
従って、上述のようなガラス板１６４の前進により当該ガラス板１６４と遊技盤Ｐの盤面３１との間隔が大きくなって、遊技球が内レール３４の前縁部とガラス板６４との間から落下し易い状態になっても、球受けレール１００ａが、ガラス板１６４と内レール３４との間隙を塞ぎながら、ガラス板１６４に追随して前方へ変位する。このため、球噛みの解消により落下する遊技球は、球受けレール１００ａにより下方から確実に受け止められて、セキュリティ板Ｓａと遊技盤Ｐとの間から落下することなく、アウト口３６内に排出されていく。
【０２５９】
然る後、上述のように球噛みを解消した後、上記第３実施形態と同様にセキュリティ板Ｓａの変位板部材１６３のガラス板１６４を原位置に戻した後、セキュリティ板Ｓａを上記第３実施形態にて述べたと同様にして開く。
【０２６０】
ついで、球受けレール１００ａを、上記第２実施形態と同様に、図１５にて図示矢印にて示す方向に押し込むと、当該球受けレール１００ａが、その前縁部にて、上記第２実施形態と同様に、図１９にて示すごとく、内レール３４の前端部に重なる位置に変位したとき、上側摺動体１１０が、その自重により、上記第２実施形態と同様に、図１６にて示すごとく、傾斜面１１１ｃにて、下側摺動体１２０の傾斜面１２１ａに沿い下方へ変位しながらこの傾斜面１２１ａに係合する。
【０２６１】
これに伴い、下側摺動体１２０が前方へ押し出されるが、鍔部１２２ａがケーシング１００の後方突出壁１０４にその後方から係合するため、下側摺動体１２０は、上記第２実施形態と同様に、図１７にて示すごとく、傾斜面１２１ａと傾斜面１１１ｃとの係合を維持する。
【０２６２】
然る後、上記第３実施形態にて述べたと同様にセキュリティ板Ｓａを閉じると、枠体１６１が、その立ち上がり壁部にて、下側摺動体１２０にその前側から当接することで、上述した両傾斜面１１１ｃ、１２１ａ間の係合を良好に維持する。
【０２６３】
以上のように、本第４実施形態においては、球噛みの解消が上述のようになされたとき、落下する遊技球が球落下防止装置ＢＣによりその球受けレール１００ａにより確実に受け止められてアウト口３６内に排出されていくので、球噛み解消の際の遊技球がセキュリティ板Ｓａのガラス板１６４と内レール３４との間から当該内レール３４の下側へ落下する事態を未然に防止することができる。その他の作用効果は上記第３実施形態と同様である。
【０２６４】
（第５実施形態）
図３７〜図３９は、本発明に係るパチンコ遊技機の第５実施形態を示している。この第５実施形態では、セキュリティ板Ｓｂが、上記第１実施形態にて述べたセキュリティ板Ｓに代えて採用されている。
【０２６５】
当該セキュリティ板Ｓｂは、上記第１実施形態にて述べたセキュリティ板Ｓに代えて、枠体Ｈに前後方向に開閉可能に支持されているもので、このセキュリティ板Ｓｂは、図３９〜図４１のいずれかに示すように、矩形状の保持枠２６１を備えている。
【０２６６】
保持枠２６１は、上壁２６１ａと、左壁２６１ｃと、右壁２６１ｂと、下壁２６１ｄとにより、矩形枠状に形成されており、この保持枠２６１は、図３９にて示すごとく、上記第１実施形態にて述べた三角状の上ヒンジ板５１及び三角状の下ヒンジ板５２により、枠体Ｈに前後方向に回動可能に支持されている。このことは、セキュリティ板Ｓｂが上述のごとく枠体Ｈに前後方向に開閉可能に支持されていることを意味する。
【０２６７】
本第５実施形態において、上ヒンジ板５１は、その前端角部にて、保持枠２６１の上壁２６１ａの左端部にヒンジピン５３により回動可能に支持されており、当該上ヒンジ板５１の後端部は、２つのネジにより、枠体Ｈの枠部４１の上壁部４１ａの左端部にその下側から締着されている。
【０２６８】
一方、下ヒンジ板５２は、その前端角部にて、保持枠２６１の下壁２６１ｄの左端部にヒンジピン５４により回動可能に支持されており、当該下ヒンジ板５２の後端部は、２つのネジにより、枠体Ｈの枠部４１の下壁部の左端部にその上側から締着されている。これにより、保持枠２６１は、上述のごとく、枠体Ｈに前後方向に回動可能に支持されている。
【０２６９】
また、保持枠２６１において、上壁２６１ａは、図４２に示すように、左右方向に所定間隔を置いて２つの貫通した直線状長孔部２６１ｅを有しており、各直線状長孔部２６１ｅは、上壁２６１ａの幅方向（当該パチンコ遊技機の前後方向）に沿い直線的に長く形成されている。当該各直線状長孔部２６１ｅは、それぞれ、後述する各案内ピン２６３ｇ（図４２参照）の外径よりも僅かに大きな左右方向の幅を有している。
【０２７０】
下壁２６１ｄは、上壁２６１ａの各直線状長孔部２６１ｅに対向する各直線状長穴部（それぞれ符号２６１ｅにて示す）を有しており、当該下壁２６１ｄの各直線状長孔部２６１ｅは、上壁２６１ａの各直線状長孔部２６１ｅと同様の形状を有するように、下壁２６１ｄに前後方向に長手状に形成されている。
【０２７１】
また、保持枠２６１は、図４２にて示すごとく、上下両側２組の各両捩りばね２６１ｇを有している。両上側コイル状捩りばね２６１ｇは、それぞれ、その各コイル部にて、各対応の上側支持ピン２２６１ｈに同軸的に挿入されている。なお、各上側支持ピン２６１ｈは、保持枠２６１の上壁２６１ａのうちその各直線状長孔部２６１ｅの近傍部位から上方へ突設されている。
【０２７２】
しかして、当該両上側コイル状捩りばね２６１ｇは、それぞれ、その各一端部にて、各対応の左右上側案内ピン２６３ｇ（後述する）に係止されており、両上側コイル状捩りばね２６１ｇの各他端部は、保持枠２６１の上壁２６１ａのうち各対応の直線状長孔部２６１ｅの後端部の近傍に係止されている。これにより、左右上側案内ピン２６３ｇは、両上側コイル状捩りばね２６１ｇにより、その各一端部を基準に、上壁２６１ａのうち各対応の直線状長孔部２６１ｅの後端部に向けて押し付けられるように付勢されている。
【０２７３】
両下側コイル状捩りばね２６１ｇは、それぞれ、その各コイル部にて、各対応の下側支持ピン２６１ｈに同軸的に挿入されている。なお、各下側支持ピン２６１ｈは、保持枠２６１の下壁２６１ｄのうちその各直線状長孔部２６１ｅの近傍部位から下方へ突設されている。
【０２７４】
しかして、当該両下側コイル状捩りばね２６１ｇは、それぞれ、その各一端部にて、各対応の左右下側案内ピン２６３ｇに係止されており、左右下側コイル状捩りばね２６１ｇの各他端部は、保持枠２６１の下壁２６１ｄのうち各対応の直線状長孔部２６１ｅの後端部の近傍に係止されている。これにより、左右下側案内ピン２６３ｇは、左右下側コイル状捩りばね２６１ｇにより、その各一端部を基準に、下壁２６１ｄのうち各対応の直線状長孔部２６１ｅの後端部に向けて押し付けられるように付勢されている。
【０２７５】
また、セキュリティ板Ｓｂは、図４２〜図４４にて示すごとく、ラック・ピニオン装置ＲＰ及び変位板部材２６２を備えている。
【０２７６】
ラック・ピニオン装置ＲＰは、保持枠２６１にその内側から上壁２６１ａ、右壁２６１ｂ及び下壁２６１ｄに沿うようにコ字状の構成にて組み付けられており、当該ラック・ピニオン装置ＲＰは、後述のごとく変位板部材２６２を前後方向に変位させる変位機構ＲＰ１と、後述のごとく保持枠２６１を枠体Ｈに解除可能にロックするロック機構ＲＰ２とにより構成されている。
【０２７７】
変位機構ＲＰ１は、駆動機構部材ＲＰａと、上下動機構部材ＲＰｂ、上側案内部材ＲＰｃと、下側案内部材ＲＰｄとを備えている。
【０２７８】
駆動機構部材ＲＰａは、図４２にて示すごとく、ピニオン２７１を備えており、このピニオン２７１は、前後方向軸２７３とともに、両軸受け２６１ｓ、２６１ｔを介し保持枠２６１の右壁２６１ｂにその左面側から支持されている。
【０２７９】
ここで、前後方向軸２７３は、前後方向に沿い延在するように、軸受け２６１ｓにより保持枠２６１の右壁２６１ｂにその左面側から回動自在に支持されており、この前後方向軸２７３は、その前端部にて、上記第１実施形態にて述べた軸状工具Ｔの軸部Ｔａに同軸的にかつ係脱可能に連結されるようになっている。なお、前後方向軸２７３は、軸受け２６１ｓに対し両ストップリング２７１ｃにより抜け止めされて、当該軸受け２６１ｓにより同軸的に支持されている。
【０２８０】
また、ピニオン２７１は、平歯車からなるもので、このピニオン２７１は、その歯部２７１ａにて、ラック２７２（後述する）の歯部２７２ａと噛合するように、ピニオン軸２７１ｂにて、軸受け２６１ｔを介し保持枠６１の右壁２６１ｂにその左面側から回動自在に支持されるとともに、前後方向軸２７３にその後端部側から同軸的に連結されている。これにより、ピニオン２７１は、工具Ｔの一方向への回動操作（或いは他方向への回動操作）に連動する前後方向軸７３の一方向への回動（或いは他方向への回動）に応じて一方向（或いは他方向）に回動する。
【０２８１】
上下動機構部材ＲＰｂは、ラック２７２を有しており、このラック２７２は、保持枠２６１の右壁２６１ｂに沿うようにその左側からピニオン２７１を介し支持されている。
【０２８２】
当該ラック２７２は、下側帯状歯部２７２ａ及び上側帯状歯部２７２ｈ（図４３参照）と、角柱状上下方向軸２７２ｂとを有している。上下方向軸２７２ｂは、保持枠２６１の右壁２６１ｂにその左側からピニオン２７１を介し上下方向に平行に沿うように上下両側ピン支持板２６１ｋ、２６１ｕ及び上下両側案内ピン２７２ｆ、２７２ｇを介し上下動可能に支持されている。なお、上下方向軸２７２ｂは、その右側面にて、保持枠２６１の右壁２６１ｂの左側面に対向するように支持されている。
【０２８３】
ここで、上下両側ピン支持板２６１ｋ、２６１ｕは、共に同一の構成を有するもので、上側ピン支持板２６１ｋは、その鍔部にて保持枠２６１の上壁２６１ａの右端部にその下面側から装着されている。また、当該上側ピン支持板２６１ｋは、その長孔部２６１ｍにて、保持枠２６１の右壁２６１ｂの左側面に平行となるように上記鍔部から下方へ延出している。なお、長孔部２６１ｍは、上下方向に長孔状に形成されている。
【０２８４】
一方、下側ピン支持板２６１ｕは、上側ピン支持板２６１ｋに対向して位置するもので、この下側ピン支持板２６１ｕは、その鍔部にて保持枠２６１の下壁２６１ｄの右端部にその上面側から装着されており、当該下側ピン支持板２６１ｕは、長孔部２６１ｖにて、保持枠２６１の右壁２６１ｂの左側面に平行となるように上記鍔部から上方へ延出して、上側ピン支持板２６１ｋの長孔部２６１ｍに対向している。なお、長孔部２６１ｖは、上下方向に長孔状に形成されている。
【０２８５】
上下両側案内ピン２７２ｆ、２７２ｇのうち、上側案内ピン２７２ｆは、その基部にて、上下方向軸２７２ｂの上端部にその右側から形成した圧入孔部２７２ｄに圧入されており、当該上側案内ピン２７２ｆは、その基部から右方へ延出して上側ピン支持板２６１ｋの長孔部２６１ｍに上下方向に相対移動可能に係合している。一方、下側案内ピン２７２ｇは、その基部にて、上下方向軸２７２ｂの下端部にその右側から形成した圧入孔部２７２ｅに圧入されており、当該下側案内ピン２７２ｇは、その基部から右方へ延出して下側ピン支持板２６１ｕの長孔部２６１ｖに上下方向に相対移動可能に係合している。これにより、上下方向軸２７２ｂは、上下両側案内ピン２７２ｆ、２７２ｇにより上下両側ピン支持板２６１ｋ、２６１ｕの各長孔部２６１ｍ、２６１ｖに沿い案内されて、保持枠２６１の右壁２６１ｂの左側面に沿い上下動する。
【０２８６】
下側帯状歯部２７２ａ及び上側帯状歯部２７２ｈのうち、下側帯状歯部２７２ａは、ピニオン２７１と噛合するように、上下方向軸２７２ｂの下側中間部位に沿いその右側面から上下方向に帯状に形成されている。また、上側帯状歯部２７２ｈは、ピニオン２８１の歯部２８１ａ（後述する）と噛合するように、上下方向軸２７２ｂの上端部に沿いその左側面から上下方向に帯状に形成されている。
【０２８７】
上下動機構部材ＲＰｂは、図４２にて示すごとく、上述したピニオン２８１を有しており、このピニオン２８１は、そのピニオン軸２８１ｂにて、軸受け２６１ｎを介し保持枠２６１の上壁２６１ａの右端部にその下側から回動自在に支持されている。これにより、当該ピニオン２８１は、ラック２７２の上側帯状歯部２７２ｈとの噛合のもと、当該ラック２７２の上動或いは下動に従い一方向或いは他方向に回動する。
【０２８８】
上側案内部材ＲＰｃ及び下側案内部材ＲＰｄのうち、上側案内部材ＲＰｃは、ラック２８２を有しており、このラック２８２は、角柱状の左右方向軸２８２ａ（以下、上側左右方向軸２８２ａともいう）と、角柱状の上下方向軸２８２ｂと、案内壁２９０Ａ（以下、上側案内壁２９０Ａともいう）とにより構成されている。
【０２８９】
上側左右方向軸２８２ａは、左右両側支持板２６１ｑ、２６１ｏ及び左右両側案内ピン２８２ｅ、２８２ｄを介し、保持枠２６１の上壁２６１ａに沿いその下面側から支持されている。
【０２９０】
ここで、左右両側支持板２６１ｑ、２６１ｏは、共に同一の構成を有するもので、左側ピン支持板２６１ｑは、その鍔部にて保持枠２６１の上壁２６１ａの左端部にその下面側から装着されている。また、当該左側ピン支持板２６１ｑは、その長孔部２６１ｒにて、保持枠２６１の左壁２６１ｃの右側面に平行となるように上記鍔部から下方へ延出している。ここで、長孔部２６１ｒは、上下方向に長孔状に形成されている。
【０２９１】
一方、右側ピン支持板２６１ｏは、その鍔部にて保持枠２６１の上壁２６１ａのうち左右方向軸２８２ａの右端部に対する対応部位にその下面側から装着されており、当該右側ピン支持板２６１ｏは、長孔部２６１ｐにて、保持枠２６１の右壁２６１ｂの左側面に平行となるように上記鍔部から下方へ延出して、左側ピン支持板２６１ｑの長孔部２６１ｒに右側から対向している。ここで、長孔部２６１ｐは、上下方向に長孔状に形成されている。なお、各長孔部２６１ｒ、２６１ｐ及び各長孔部２６１ｍ、２６１ｖの孔形状は、各長孔部２６１ｅの孔形状と同一である。
【０２９２】
左右両側案内ピン２８２ｅ、２８２ｄのうち、左側案内ピン２８２ｅは、その基部にて、左右方向軸２８２ａの左端部にその後側から形成した圧入孔部（図示しない）に圧入されており、当該左側案内ピン２８２ｅは、その基部から後方へ延出して左側ピン支持板２６１ｑの長孔部２６１ｒに上下方向に相対移動可能に係合している。一方、右側案内ピン２８２ｄは、その基部にて、左右方向軸２８２ａの右端部にその後側から形成した圧入孔部（図示しない）に圧入されており、当該右側案内ピン２８２ｄは、その基部から後方へ延出して右側ピン支持板２６１ｏの長孔部２６１ｐに上下方向に相対移動可能に係合している。これにより、左右方向軸２８２ａは、左右両側案内ピン２８２ｅ、２８２ｄにより左右両側ピン支持板２６１ｑ、２６１ｏの各長孔部２６１ｒ、２６１ｐに沿い案内されて、保持枠２６１の上壁２６１ａとの平行状態を維持しつつ上下動する。
【０２９３】
上下方向軸２８２ｂは、図４２にて示すごとく、左右方向軸２８２ａの右端部から下方へＬ字状に折れ曲がるように延出しており、この上下方向軸２８２ｂの右側面には、帯状歯部２８２ｃが、上下方向に形成されて、ピニオン２８１に噛合している。これにより、上下方向軸２８２ｂは、ピニオン２８１の一方向回動或いは他方向回動に伴い下方或いは上方へ移動する。このことは、左右方向軸２８２ａが、上下方向軸８２ｂの下方或いは上方へ移動に伴い、下方或いは上方へ移動することを意味する。なお、ラック２８２は、ピニオン２８１と共に、いわゆるラック・ピニオン機構を構成する。
【０２９４】
上側案内壁２９０Ａは、図４２及び図５１〜図５３のいずれかにて示すごとく、次のように、上側左右方向軸２８２ａの左側部位から下方へ突設されている。
【０２９５】
当上側該案内壁２９０Ａは、図５１〜図５３にて示すごとく、直角三角柱状のもので、この上側案内壁２９０Ａは、上側左右方向軸２８２ａの左側部位と一体的に形成されて、当該左側部位から下方へ突出している。ここで、上側案内壁２９０Ａは、その傾斜面２９１にて、上側左右方向軸２８２ａの左側部位の下面前縁部から下側斜め後方へ傾斜状に延出するように形成されている。これにより、上側案内壁２９０Ａは、その傾斜面２９１にて、変位板部材２６２の保持枠２６３の上壁２６３ｃ（後述する）と接触して当該上壁２６３ｃを前方へ押動により案内する役割を果たす。
【０２９６】
下側案内部材ＲＰｄは、図４２にて示すごとく、角柱状の左右方向軸２７２ｃ（以下、下側左右方向軸２７２ｃともいう）と、案内壁２９０Ｂ（以下、下側案内壁２９０Ｂともいう）とにより構成されている。
【０２９７】
下側左右方向軸２７２ｃは、上下方向軸２７２ｂと一体的に形成されており、この下側左右方向軸２７２ｃは、上下方向軸２７２ｂの下端部から左方へＬ字状に延出されている。これにより、当該側左右方向軸２７２ｃは、保持枠２６１の下壁２６１ｄの上面に沿うように上下方向軸２７２ｂにより支持されて、当該上下方向軸２７２ｂの上方或いは下方への移動に伴い上方或いは下方へ移動する。
【０２９８】
上側案内壁２９０Ｂは、図４２及び図５４〜図５６のいずれかにて示すごとく、次のように、下側左右方向軸２７２ｃの左側部位から上方へ突設されている。
【０２９９】
当下側該案内壁２９０Ｂは、図５４〜図５６にて示すごとく、直角三角柱状のもので、この下側案内壁２９０Ｂは、下側左右方向軸２７２ｃの左側部位と一体的に形成されて、当該左側部位から上方へ突出している。ここで、下側案内壁２９０Ｂは、その傾斜面２９２にて、下側左右方向軸２７２ｃの左側部位の上面前縁部から上側斜め後方へ傾斜状に延出するように形成されている。これにより、下側案内壁２９０Ｂは、その傾斜面２９２にて、変位板部材２６２の保持枠２６３の下壁２６３ｄ（後述する）と接触して当該下壁２６３ｄを前方へ押動により案内する役割を果たす。なお、下側左右方向軸２７２ｃ及び下側案内壁２９０Ｂは、下側ラックともいう。
【０３００】
ロック機構ＲＰ２は、図４２にて示すごとく、駆動機構部材ＲＰａと共用する上述のピニオン２７１と、ロックレバー２７４とを有している。ロックレバー２７４は、その基端部にて、ピニオン２７１のピニオン軸２７１ｂに同軸的に支持されており、このロックレバー２７４は、その基端部からピニオン軸２７１ｂに対し直交するように延出されて、枠体Ｈの右壁４１ｂに設けた係止部材４１ｃに係止可能となっている。本第５実施形態では、上記第１実施形態と同様に、係止部材４１ｃは、その両脚部にて、枠体Ｈの右壁４１ｂの前面に装着されており、当該係止部材４１ｃは、そのコ字状係止部４１ｄにて、上記両脚部の各対向端部から前方へコ字状に突出されている。
【０３０１】
しかして、ロックレバー２７４は、図４５にて図示時計方向への回動により、その延出端部にて、係止部材４１ｃの係止部４１ｄ内に係止し、また、図４６及び図４７にて示すごとく、時計方向へのさらなる回動により、係止部材４１ｃの係止部４１ｄから解離する。
【０３０２】
このことは、ロック機構ＲＰ２は、図４５にて示す位置にあるロックレバー２７４の係止部材４１ｃのコ字状係止部４１ｄ内への係止により、保持枠２６３（換言すればセキュリティ板Ｓｂ）を枠体Ｈにロックし、図５２及び図５３にて示すごとく時計方向へさらに回動するロックレバー２７４の係止部材４１ｃのコ字状係止部４１ｄからの解離により、上記ロックを解除することを意味する。
【０３０３】
変位板部材２６２は、図３９〜図４４のいずれかにて示すように、正八角形状の保持枠２６３と、正八角形状のガラス板２６４とを備えており、ガラス板２６４は、保持枠２６３の正八角形状中空部内に嵌め込まれている。なお、保持枠２６３は、右壁２６３ａ、左壁２６３ｂ、上壁２６３ｃ、下壁２６３ｄ及び各傾斜壁２６３ｅによって、上述のごとく、正八角形状に形成されている。
【０３０４】
このように構成した変位板部材２６２は、図３９に示すように、次のようにして、保持枠２６１の上壁２６１ａと下壁２６１ｄの間にて当該上壁２６１ａ、下壁２６１ｄに対し前後方向に変位可能となるように、当該保持枠２６１の矩形状中空部内に組み付けられている。
【０３０５】
ここで、変位板部材２６２は、左右上側及び左右下側の各案内ピン２６３ｇ（図４２参照）を有しており、左右上側案内ピン２６３ｇは、それぞれ、保持枠２６３の上壁２６３ｃのうち保持枠２６１における上壁２６１ａの各対応の直線状長孔部２６１ｅに対する各対応部位からそれぞれ上方へ突出されている。これにより、左右上側案内ピン２６３ｇは、それぞれ、各対応の直線状長孔部２６１ｅ内にその長手方向（前後方向）へ相対変位可能に挿入されている。なお、左右上側案内ピン２６３ｇは、上壁２６３ａのうち上壁２６１ａの両直線状長孔部２６１ｅに対する各対応部位に形成された両圧入孔部２６３ｆの各々に圧入されて上方へ突出している。
【０３０６】
左右下側案内ピン２６３ｇは、それぞれ、保持枠２６３の下壁２６３ｄのうち保持枠２６１における下壁２６１ｄの各対応の直線状長孔部２６１ｅに対する各対応部位からそれぞれ下方へ突出されて、当該各対応の直線状長孔部２６１ｅ内にその長手方向（前後方向）へ相対変位可能に挿入されている。なお、左右下側案内ピン２６３ｇは、下壁６３ｄのうち上下壁２６１ｄの両直線状長孔部２６１ｅに対向する各部位にて形成された両圧入孔部の各々に圧入されて下方へ突出している。
【０３０７】
また、保持枠２６３は、図５１〜図５６のいずれかにて示すごとく、上側突出壁２６３ｉ及び下側突出壁２６３ｋを有しており、上側突出壁２６３ｉは、上側案内部材ＲＰｃの上側案内壁２９０Ａに対向するように、保持枠２６３の上壁２６３ｃの下端後部から後方へ一体的に突出形成されている。ここで、上側突出壁２６３ｉは、その突出端面にて、上側案内壁２９０Ａの傾斜面２９１に平行な傾斜面２６３ｈとして形成されている。
【０３０８】
これにより、上側突出壁２６３ｉは、傾斜面２６３ｈにて、上側案内壁２９０Ａの傾斜面２９１との摺接のもと、上側案内壁２９０Ａの下方への移動に応じて傾斜面２９１により前方へ押動される。また、上側突出壁２６３ｉは、傾斜面２６３ｈにて、上側案内壁２９０Ａの傾斜面２９１との摺接のもと、両左右上側捻りばね２６１ｇにより引っ張られて傾斜面２９１を後方へ押動しながら上側案内壁２９０Ａを上方へ移動させる。
【０３０９】
また、下側突出壁２６３ｋは、下側案内部材ＲＰｄの下側案内壁２９０Ｂに対向するように、保持枠２６３の下壁２６３ｄの上端後部から後方へ一体的に突出形成されている。ここで、下側突出壁２６３ｋは、その突出端面にて、下側案内壁２９０Ｂの傾斜面２９２に平行な傾斜面２６３ｊとして形成されている。これにより、下側突出壁２６３ｋは、傾斜面２６３ｊにて、下側案内壁２９０Ｂの傾斜面２９２との摺接のもと、下側案内壁２９０Ｂの上方への移動に応じて傾斜面２９２により前方へ押動される。また、下側突出壁２６３ｋは、傾斜面２６３ｊにて、下側案内壁２９０Ｂの傾斜面２９２との摺接のもと、両左右下側捻りばね２６１ｇにより引っ張られて傾斜面２９２を後方へ押動しながら下側案内壁２９０Ｂを下方へ移動させる。
【０３１０】
これにより、変位板部材２６２は、上述のごとく、保持枠２６１内にてその上下壁２６１ａ、２６１ｄの間にて当該上下壁２６１ａ、２６１ｄに対し各直線状長孔部２６１ｅに沿い前後方向に変位可能となっている。
【０３１１】
本第５実施形態では、後述のごとく変位板部材２６２の前方への変位に伴いガラス板２６４が遊技盤Ｐの盤面３１との間の遊技球の球噛みの解消可能な位置（変位板部材２６２の前進位置）に達したときに左右上側案内ピン２６３ｇが左右上側直線状長孔部２６１ｅ内にて達する各前進位置を、当該左右上側直線状長孔部２６１ｅの各所定の前後方向中間部位とするとともに、左右下側案内ピン２６３ｇが左右下側直線状長孔部２６１ｅ内にて達する各前進位置を、当該左右下側直線状長孔部２６１ｅの各所定の前後方向中間部位に対応させるように設定してある。従って、工具Ｔを上述のごとく係止部材４１ｃとの係止から解離させるには、工具Ｔを上述のようなさらなる時計方向への回動させることで、左右上側案内ピン６３ｇを左右上側直線状長孔部２６１ｅの各後端部まで移動させるとともに左右下側案内ピン２６３ｇを左右下側直線状長孔部２６１ｅの各後端部まで移動させる。
【０３１２】
また、上述のように変位板部材２６２を保持枠２６１内に組み付けることで、保持枠２６１の各隅角部と保持枠２６３の各々対応する傾斜壁１６３ｅとの間には、三角形状の空所Ｇｂが形成され、各空所Ｇｂは、後述のごとく、
上下方向軸２７２ｂ及び各左右方向軸２８２ａ、２７２ｃを介し各直角三角柱形状の装飾部品２６０ａの突出可能に、図４３にて例示するごとく、形成されている。
【０３１３】
各装飾部品２６０ａは、その後端部にて、保持枠２６１の上下左右の各隅角部に支持されており、当該各装飾部品２６０ａは、各対応の空所Ｇｂを通り前方へ前扉Ｄの各対応の貫通穴部１６に挿通可能に突出されている。
【０３１４】
ここで、各装飾部品２６０ａのうち、保持枠２６１の左上隅角部に位置する装飾部品２６０ａ（左上隅角側装飾部品２６０ａ）は、保持枠２６１の左上隅角部に形成される空所Ｇｂ（左上隅角側空所Ｇｂ）のうち左右方向軸２８２ａの下側の部位を通り前方へ突出している。保持枠２６１の左下隅角部に位置する装飾部品２６０ａは、保持枠２６１の左下隅角部に形成される空所Ｇｂ（左下隅角側空所Ｇｂ）のうち左右方向軸２７２ｃの上側の部位を通り前方へ突出している。
【０３１５】
保持枠２６１の右上隅角部に位置する装飾部品２６０ａ（右上隅角側装飾部品２６０ａ）は、保持枠２６１の右上隅角部に形成される空所Ｇｂ（右上隅角側空所Ｇｂ）のうち左右方向軸２８２ａ及び上下方向軸２７２ｂの交差部の内側の部位を通り前方へ突出している。また、保持枠２６１の右下隅角部に位置する装飾部品２６０ａ（右下隅角側装飾部品２６０ａ）は、保持枠２６１の右下隅角部に形成される空所Ｇｂ（右下隅角側空所Ｇｂ）のうち左右方向軸２７２ｃ及び上下方向軸２７２ｂの交差部の内側の部位を通り前方へ突出している。なお、前扉Ｄの各貫通穴部１６は、各装飾部品２６０ａと干渉しあわないように形成されている。
【０３１６】
以上のように構成した本第５実施形態において、当該パチンコ遊技機では、前扉Ｄが、セキュリティＳｂとともに、遊技盤Ｐを介し枠体Ｈを閉じた状態にあるものとする。
【０３１７】
このような状態では、図５１に示すように、ラック・ピニオン装置ＲＰの上側案内壁２９０Ａが、傾斜面２９１の下部にて、変位板部材２６２の保持枠２６３の上側突出壁２６３ｉの傾斜面２６３ｈと接触し、左右上側案内ピン２６３ｇが、それぞれ、図４０及び図４１に示すように、左右上側捩りばね２６１ｇの各ばね力により保持枠２６１の上壁２６１ａの左右両側直線状長孔部２６１ｅの後端部に押し付けられている。
【０３１８】
また、図５４に示すように、ラック・ピニオン装置ＲＰの下側案内壁２９０Ｂが、その傾斜面２９２の上部にて、保持枠２６３の下側突出壁２６３ｋの傾斜面２６３ｊと接触し、左右下側案内ピン２６３ｇが、それぞれ、左右下側捩りばね２６１ｇのばね力により保持枠２６１の上壁２６１ｄの左右両側直線状長孔部２６１ｅの後端部に押し付けられている。
【０３１９】
以上によれば、変位板部材２６２は、図３７、図４０及び図４１に示すように、原位置に保持される。なお、このとき、ピニオン２８１は、図４８に示すように、ラック２７２の上側歯部２７２ｈの上部、及びラック２８２の歯部２８２ｃの下部にそれぞれ噛合している。
【０３２０】
また、ロック機構ＲＰ２は、図４５に示すように、ロックレバー２７４にて、係止部材４１ｄの係止部４１ｃに係止して、セキュリティ板Ｓｂを遊技機本体の枠体Ｈにロックしている。
【０３２１】
このような状態においては、セキュリティ板Ｓｂが、遊技盤Ｐを介し上記遊技機本体を閉じている。このため、セキュリティ板Ｓｂと上記遊技機本体との間において隙間がわずかでも生じることがない。
【０３２２】
従って、隙間が、前扉Ｄと上記遊技機本体との間に生じていても、上述のようにセキュリティ板Ｓｂと上記遊技機本体との間には隙間が発生しない。
【０３２３】
このため、不正行為者が、当該パチンコ遊技機に対して不正行為を行うべく、前扉Ｄと上記遊技機本体との間の隙間からピアノ線などを進入させたとしても、遊技盤Ｐの盤面３１はセキュリティ板Ｓにより覆われていることから、ピアノ線などをセキュリティ板Ｓｂと上記遊技機本体との間から進入させることは困難である。このことは、上述した不正行為を未然に防止し得ることを意味する。
【０３２４】
このような状態において、当該パチンコ遊技機による遊技過程にて、遊技球が、変位板部材２６２と遊技盤Ｐの盤面３１との間に挟まれることで、いわゆる球噛みが、遊技盤Ｐの盤面３１と変位板部材６２との間に発生した場合、セキュリティ板Ｓｂが、上述のごとく、ロック機構ＲＰ２によりロックされた状態で、閉じたままとなっている。従って、前扉Ｄを開いてセキュリティ板Ｓｂを開こうとしても開くことはできない。
【０３２５】
そこで、例えば、ホールの作業者が、軸状工具Ｔの把持部を把持して、軸部Ｔａを前扉Ｄの工具挿入穴部１８に挿入して、軸部Ｔａを駆動機構部材ＲＰａの前後方向軸２７３に連結する。
【０３２６】
そして、軸状工具Ｔを各捩りばね２６１ｇの付勢力に抗して図４５に円弧状矢印で示すように時計方向へ回動操作すると、駆動機構部材ＲＰａにおいて、前後方向軸２７３が軸状工具Ｔと同一方向へ回動し、ピニオン２７１が前後方向軸２７３と同一方向へ回動する。
【０３２７】
このようにピニオン２７１が回動すると、ラック２７２が、下側歯部２７２ａのピニオン２７１との噛合のもとに、図４６にて示すごとく、上方へ移動する。このとき、上下両側案内ピン２７２ｆ、２７２ｇが、保持枠２６１の両ピン支持板２６１ｋ、２６１ｕの各長孔部２６１ｍ、２６１ｖに沿い上方へ移動することで、ラック２７２が上方へ移動する。
【０３２８】
また、上述のようにラック２７２が上方へ移動すると、ピニオン２８１が、図４８にて示すごとく、反時計方向（図示矢印方向）に回動し、ラック２８２の上下方向軸２８２ｂが、図４９にて示すごとく、歯部２８２ｃのピニオン２８１との噛合のもとに、このピニオン２８１の反時計方向への回動に伴い下方へ移動する。このことは、上側案内部材ＲＰｂが、上側左右方向軸２８２ａ及び上側案内壁２９０Ａとともに、下方へ移動することを意味する。このとき、両左右上側案内ピン２８２ｄ、２８２ｅが、保持枠２６１の両ピン支持板２６１ｏ、２６１ｑの各長孔部２６１ｐ、２６１ｒに沿い下方へ移動することで、ラック２８２が下方へ移動する。
【０３２９】
また、上述のようにラック２７２が上方へ移動すると、下側案内部材ＲＰｄが、ラック２７２と一体となっているため、ラック２７２とともに上方へ移動する。このことは、下側案内部材ＲＰｄが、下側左右方向軸２７２ｃ及び下側案内壁２９０Ｂとともに、上方へ移動することを意味する。
【０３３０】
上述のように、上側案内部材ＲＰｂが下方へ移動するとともに下側案内部材ＲＰｄが上方へ移動すると、上側案内部材ＲＰｂ及び下側案内部材ＲＰｄが互いに近づく方向に移動することとなる。換言すれば、上側案内壁２９０Ａが下方へ移動するとともに下側案内壁２９０Ｂが上方へ移動すると、上側案内壁２９０Ａ及び下側案内壁２９０Ｂが互いに近づく方向に移動することとなる。
【０３３１】
これに伴い、上側案内壁２９０Ａが、その下方への移動のもとに、傾斜面２９１にて、保持枠２６３の上壁２６３ｃの傾斜面２６３ｈに摺接しながら当該傾斜面２６３ｈを前方へ押動するとともに、下側案内壁２９０Ｂが、その上方への移動のもとに、傾斜面２９２にて、保持枠２６３の下壁２６３ｄの傾斜面２６３ｊに摺接しながら当該傾斜面２６３ｊを前方へ押動する。
【０３３２】
ここで、上述のように保持枠２６３の上壁２６３ｃ及び下壁２６３ｄがそれぞれ下動及び上動するとき、保持枠２６３の左右上側案内ピン２６３ｇ及び左右下側案内ピン２６３ｇは、それぞれ、左右上側長孔部２６１ｅ及び左右下側長孔部２６１ｅに沿い、左右上側捩りばね２６１ｇ及び左右下側捩りばね２６１ｇの各付勢力に抗して各対応の長孔部２６１ｅに沿いその後端部から上記各前後方向中間部位に向けて移動する。
【０３３３】
上述のように、保持枠２６３は、その上壁２６３ｃ及び下壁２６３ｄにて上側案内壁２９０Ａ及び下側案内壁２９０Ｂにより前方へ押動されることで、前方へ案内されて、図５２及び図５３にて示すように、前方へ移動する。このことは、変位板部材２６２が、保持枠２６１内にて、原位置から前進位置まで変位して、ガラス板２６４と遊技盤Ｐの盤面３１との間隔を、遊技球の直径よりも、一様に拡大することを意味する。その結果、遊技球が、その球噛みから容易に解放され得る。
【０３３４】
一方、ロック機構ＲＰ２においては、上記のような軸状工具Ｔの回動操作が行われ、変位板部材２６２が前進位置まで変位したとき、図４６に示すように、ロックレバー２７４が依然として係止部材４１ｄの係止部４１ｃに係止された状態に維持されている。
【０３３５】
従って、球噛みが解消した状態においては、セキュリティ板Ｓｂは、閉じたままロック機構ＲＰ２によりロックされている。このとき、セキュリティ板Ｓｂにおいては、変位板部材２６２と遊技盤Ｐの盤面３１との間の間隔が上述のように広くなっても、当該変位板部材２６２と保持枠２６１との間の関係は、変位板部材２６２が原位置にある場合と同様であるので、何ら不正を行う余地は発生しない。
【０３３６】
上述のようにして遊技球の球噛みを解消した後は、工具Ｔを上述とは逆に反時計方向（図４５にて図示矢印とは反対方向）に回動させると、前後方向軸２７３が同様に反時計方向に回動し、ピニオン２７１が同様に反時計方向に回動する。
【０３３７】
このようにピニオン２７１が反時計方向に回動すると、ラック２７２が、下側歯部２７２ａのピニオン２７１との噛合のもとに、下方へ移動する。このとき、上下両側案内ピン２７２ｆ、２７２ｇが、保持枠２６１の両ピン支持板２６１ｋ、２６１ｕの各長孔部２６１ｍ、２６１ｖに沿い下方へ移動することで、ラック２７２が下方へ移動する。
【０３３８】
また、上述のようにラック２７２が下方へ移動すると、ピニオン２８１が、上述とは逆に時計方向（図４８にて図示矢印方向とは逆方向）に回動し、ラック２８２の上下方向軸２８２ｂが、歯部２８２ｃのピニオン２８１との噛合のもとに、このピニオン２８１の時計方向への回動に伴い上方へ移動する。このことは、上側案内部材ＲＰｂが、上側左右方向軸２８２ａ及び上側案内壁２９０Ａとともに、上方へ移動することを意味する。このとき、両左右上側案内ピン２８２ｄ、２８２ｅが、保持枠２６１の両ピン支持板２６１ｏ、２６１ｑの各長孔部２６１ｐ、２６１ｒに沿い上方へ移動することで、ラック２８２が上方へ移動する。
【０３３９】
また、上述のようにラック２７２が下方へ移動すると、下側案内部材ＲＰｄが、ラック２７２と一体となっているため、ラック２７２とともに下方へ移動する。このことは、下側案内部材ＲＰｄが、下側左右方向軸２７２ｃ及び下側案内壁２９０Ｂとともに、下方へ移動することを意味する。
【０３４０】
上述のように、上側案内部材ＲＰｂが上方へ移動するとともに下側案内部材ＲＰｄが下方へ移動すると、上側案内部材ＲＰｂ及び下側案内部材ＲＰｄが互いに離れる方向に移動することとなる。換言すれば、上側案内壁２９０Ａが上方へ移動するとともに下側案内壁２９０Ｂが下方へ移動すると、上側案内壁２９０Ａ及び下側案内壁２９０Ｂが互いに離れる方向に移動することとなる。
【０３４１】
これに伴い、上側案内壁２９０Ａが、その上方への移動のもとに、傾斜面２９１にて、保持枠２６３の上壁２６３ｃの傾斜面２６３ｈに摺接しながら当該傾斜面２６３ｈを左右上側捩りばね２６１ｇの付勢のもとに後方へ移動させるとともに、下側案内壁２９０Ｂが、その下方への移動のもとに、傾斜面２９２にて、保持枠２６３の下壁２６３ｄの傾斜面６３ｊに摺接しながら左右下側捩りばね２６１ｇの付勢のもとに当該傾斜面２６３ｊを後方へ移動させる。
【０３４２】
ここで、上述のように保持枠２６３の上壁２６３ｃ及び下壁２６３ｄがそれぞれ上動及び下動するとき、保持枠２６３の左右上側案内ピン２６３ｇ及び左右下側案内ピン２６３ｇは、それぞれ、左右上側長孔部２６１ｅ及び左右下側長孔部２６１ｅに沿い、左右上側捩りばね２６１ｇ及び左右下側捩りばね２６１ｇの各付勢力を受けて各対応の長孔部２６１ｅに沿いその上記前後方向中間部位から各後端部に向けて移動する。
【０３４３】
上述のように、保持枠２６３は、その上壁２６３ｃ及び下壁２６３ｄにて上側案内壁２９０Ａの上動及び下側案内壁２９０Ｂの下動に伴い後方へ移動することで、後方へ案内されて、後方へ移動する。このことは、変位板部材２６２が、保持枠２６１内にて、前進位置から原位置まで変位することを意味する。
【０３４４】
しかして、このように変位板部材２６２が原位置まで戻ったとき、ロック機構ＲＰ２においては、図４５に示すように、ロックレバー２７４が、原位置に戻り、係止部材４１ｄの係止部４１ｃに係止された状態に維持される。従って、そして、軸状工具Ｔの回動操作を終了した後、工具Ｔを前扉Ｄの工具挿入穴部１８から抜き取る。
【０３４５】
また、何らかの理由によりセキュリティ板Ｓを開く必要が発生した場合には、ホールの作業者が、キーＫを用いて前扉Ｄの施錠装置１７を解錠して前扉Ｄを開き、セキュリティ板Ｓｂを前面に露出させる。その後、軸状工具Ｔの把持部を把持して、軸部Ｔａを前後方向軸７３に連結する。
【０３４６】
そして、工具Ｔを図４６及び図４７にて示すごとくさらに時計方向に回動させると、前後方向軸２７３が、同様に時計方向へ回動し、ピニオン２７１が同様に時計方向へ回動する。このとき、上下動機構部材ＲＰｂのラック２７２はさらに上方へ移動し、上側案内部材ＲＰｃ及び下側案内部材ＲＰｄは、互いにさらに近づく方向に移動する。
【０３４７】
なお、これらの移動は、各案内ピン２６３ｇの各対応の長孔部２６１ｅの前端部への到達、各案内ピン２７２ｆ、２７２ｇの各対向の長孔部２６１ｍ、２６１ｖの各対向端部への到達及び各案内ピン２８２ｅ、２８２ｄの各対応の長孔部２６１ｒ、２６１ｐの各下端部への到達でもって停止される。
【０３４８】
これに伴い、ロックレバー２７４が、図４７にて示すごとく、係止部材４１ｃとの係止から解離すると、セキュリティ板Ｓｂが、枠体Ｈに対するロック状態から解除される。これにより、セキュリティ板Ｓｂは枠体Ｈから開放可能になる。
【０３４９】
このような状態において、作業者がセキュリティ板Ｓｂを開け、必要な処理を終了した後は、作業者は、セキュリティ板Ｓｂを閉じ、工具Ｔの把持部を把持して、軸部Ｔａを前後方向軸７３に連結する。そして、軸状工具Ｔを回動操作することにより、ロックレバー２７４が係止部材４１ｄの係止部４１ｃに係止すれば、セキュリティ板Ｓｂは枠体Ｈにロックされる。その後、作業者は前扉Ｄを閉じ、キーＫを用いて施錠装置１７を施錠する。
【０３５０】
また、本第５実施形態では、セキュリティ板Ｓｂは、上述したごとく、各装飾部材２６０ａを備えるように構成されているが、このような構成とした根拠について説明する。
【０３５１】
パチンコ遊技機では、一般的に、前扉に電飾部品等の装飾部品を設けることで、演出効果を高めることが行われている。ここで、パチンコ遊技機において、遊技盤は定期的に交換されるものの、前扉は交換されることなくそのまま維持されることが通常である。これでは、パチンコ遊技機としての装飾部品による演出効果を遊技盤の交換にあわせてさらに高めることはできない。
【０３５２】
このため、本第５実施形態では、各装飾部品２６０ａが、前扉Ｄではなく、セキュリティ板Ｓｂに突設されているので、セキュリティ板Ｓｂを遊技盤Ｐと共に交換すれば、この交換毎に、パチンコ遊技機としての装飾部品による演出効果を新たに高めることができる。
【０３５３】
以上説明したように、本第５実施形態においては、セキュリティ板Ｓｂが遊技盤Ｐを有する遊技機本体と前扉Ｄとの間に開閉可能に支持されている。
【０３５４】
これによれば、セキュリティ板Ｓｂを閉じたときには、当該セキュリティ板Ｓｂと遊技機本体との間には隙間が形成されない。従って、前扉Ｄと遊技機本体との間の隙間からピアノ線などを挿入させ得たとしても、当該ピアノ線などを、セキュリティ板Ｓｂと遊技機本体との間にまで挿入することは困難である。
【０３５５】
このため、上記ピアノ線などは、遊技盤Ｐの盤面３１に到達し得ず、その結果、上述のような不正行為を未然に防止することができる。
【０３５６】
また、セキュリティ板Ｓｂは、上述のごとく、ロック機構ＲＰ２により枠体Ｈにロックされるので、セキュリティ板Ｓｂを自由に開けることができない。このため、当該パチンコ遊技機におけるセキュリティが向上する。
【０３５７】
また、球噛みが発生した場合には、上述のごとく、前扉Ｄを閉じた状態でセキュリティ板Ｓｂをロックしたままにて、軸状工具Ｔを用いて変位板部材２６２を前方へ変位させることで、当該変位板部材２６２と遊技盤Ｐとの間隔を拡大させるようにしたため、前扉Ｄを開けることなく上記球噛みを解消することが可能になり、便利である。このとき、セキュリティ板Ｓｂは、上述のごとくロックしたままであるので、当該パチンコ遊技機のセキュリティは、球噛みの解消前と同様に向上する。
【０３５８】
また、本第５実施形態においては、上述のごとく、各装飾部品２６０ａをセキュリティ板Ｓｂに備えるようにしたので、上述の作用効果と相俟って、各装飾部品２６０ａによる演出効果を、遊技盤Ｐ及びセキュリティ板Ｓｂの交換毎に、高めることができる。
【０３５９】
なお、セキュリティ板Ｓｂの形状は、上述した第５実施形態では四角形状としたが、遊技盤Ｐの盤面３１における遊技領域３２の形状に対応する形状（略円形形状）で構成してもよく、装飾部品２６０ｂがこのセキュリティ板の外側に配置されるようにしてもよい。また、上述した第５実施形態では、セキュリティ板Ｓｂの変位板部材２６２を前後方向へ移動可能に構成したが、セキュリティ板ｂＳ全体を前後方向へ移動可能に構成してもよい。
【０３６０】
（第６実施形態）
次に、本発明に係るパチンコ遊技機の第６実施形態について説明する。この第６実施形態では、上記第５実施形態にて述べたパチンコ遊技機の遊技盤Ｐにおいて、上記第２実施形態にて述べた球落下防止装置ＢＣが付加的に採用されており、当該球落下防止装置ＢＣは、上記第２実施形態と同様に、遊技盤Ｐのうち内レール３４の下端部近傍部位（アウト口３６の近傍部位）に組み付けられている（図１３参照）。その他の構成は、上記第５実施形態と同様である。
【０３６１】
このように構成した本第６実施形態において、上記第５実施形態と同様に、セキュリティＳｂの変位板２６３のガラス板２６４が、セキュリティ板Ｓｂの閉状態において、原位置にあるとき、球落下防止装置ＢＣの球受けレール１００ａは、上記第２実施形態と同様に、コイルスプリング１３０により上側摺動体１１０の摺動体本体１１１を介し前方へ付勢されて、原位置にあるガラス板２６４に当接している（図１４参照）。
【０３６２】
このとき、上側摺動体１１０は、厚肉部１１１ａの下面にて、下側摺動体１２０の摺動体本体１２１の上面後部上に位置するとともに、下側摺動体１２０は、摺動体本体１２１にて、セキュリティ板Ｓｂの固定枠２６１の立ち上がり壁部（固定枠６１の立ち上がり壁部６１ｇに対応）にその後方から当接するとともに、鍔部１２２ｂにて、ケーシング１００の後方突出壁１０４から後方に離れて位置している。
【０３６３】
このような状態において、上記第５実施形態と同様に球噛みの発生に伴う変位板２６３のガラス板２６４の前進位置への変位に応じて、上側摺動体１１０は、摺動体本体１１１にて、コイルスプリング１３０による付勢のもと、前方へ摺動するととともに、球受けレール１００ａが、上側摺動体１１０により押し出されて前方へ変位する（図１５参照）。
【０３６４】
このことは、球受けレール１００ａが、ガラス板２６４の前進に追随しながら前方へ変位することを意味する（図１８参照）。なお、このとき、下側摺動体１２０は、鍔部１２２ｂにて、ケーシング１００の後方突壁１０４の下側貫通穴部１０４ｂの後端開口外周部に、コイルスプリング１４０の付勢力に抗して、係止する。
【０３６５】
従って、上述のようなガラス板２６４の前進により当該ガラス板２６４と遊技盤Ｐの盤面３１との間隔が遊技球の外径よりも大きくなって、遊技球が内レール３４の前端部とガラス板２６４との間から落下し易い状態になっても、球受けレール１００ａが、ガラス板２６４と内レール３４との間隙を塞ぎながら前方へ変位するので、球噛みの解消により落下する遊技球は、球受けレール１００ａにより下方から確実に受け止められて、セキュリティ板Ｓｂと遊技盤Ｐとの間から落下することなく、アウト口３６内に排出されていく。
【０３６６】
然る後、上述のように球噛みを解消した後、上記第５実施形態と同様にセキュリティ板Ｓｂの変位板２６３のガラス板２６４を原位置に戻した後、セキュリティ板Ｓｂを上記第５実施形態にて述べたと同様にして開く。
【０３６７】
ついで、球受けレール１００ａを、上記第５実施形態と同様に、図１５にて図示矢印にて示す方向に押し込むと、当該球受けレール１００ａが、その前縁部にて、上記第５実施形態と同様に、図１９にて示すごとく、内レール３４の前端部に重なる位置に変位したとき、上側摺動体１１０が、その自重により、上記第５実施形態と同様に、図１６にて示すごとく、傾斜面１１１ｃにて、下側摺動体１２０の傾斜面１２１ａに沿い下方へ変位しながらこの傾斜面１２１ａに係合する。
【０３６８】
これに伴い、下側摺動体１２０が前方へ押し出されるが、鍔部１２２ａがケーシング１００の後方突出壁１０４にその後方から係合するため、下側摺動体１２０は、上記第２実施形態と同様に、図１７にて示すごとく、傾斜面１２１ａと傾斜面１１１ｃとの係合を維持する。
【０３６９】
然る後、上記第３実施形態にて述べたと同様にセキュリティ板Ｓａを閉じると、枠体１６１が、立ち上がり壁部（枠体６１の立ち上がり壁部６１ｇに対応）にて、下側摺動体１２０にその前側から当接することで、上述した両傾斜面１１１ｃ、１２１ａ間の係合を良好に維持する。
【０３７０】
以上のように、本第６実施形態においては、球噛みの解消が上述のようになされたとき、落下する遊技球が球落下防止装置ＢＣによりその球受けレール１００ａにより確実に受け止められてアウト口３６内に排出されていくので、球噛み解消の際の遊技球がセキュリティ板Ｓｂのガラス板２６４と内レール３４との間から当該内レール３４の下側へ落下する事態を未然に防止することができる。その他の作用効果は上記第５実施形態と同様である。
【０３７１】
なお、本発明の実施にあたり、上記各実施形態にて述べた  なお、駆動機構１００ｂは、電磁ソレノイドなど電気的アクチュエータで構成し、セキュリティ板Ｓの前進時に球受けレール１００ａを前進さセキュリティ板Ｓの後退時に球受けレール１００ａを後退させるよう構成してもよい。
【符号の説明】
【０３７２】
ＢＣ…球落下防止装置、Ｂ１、ＲＰ１…変位機構、Ｂａ…駆動機構部、
Ｂｂ…回動伝達機構部、Ｂｃ…上側回動カム機構部、Ｂｄ…下側回動カム機構部、
Ｐ…遊技盤、Ｈ…枠体、Ｄ…前扉、Ｓ、Ｓａ、Ｓｂ…セキュリティ板、
ＲＰａ…駆動機構部材、ＲＰｂ…上下動機構部材、ＲＰｄ…下側案内部材、
３１…盤面、３４…内レール、４３、Ｂ２、ＲＰ２…ロック機構、
６０ａ、１６０ａ…装飾部品、６１…固定枠、６２…可動枠、
６３、１６２、２６２…変位板部材、６４、１６４、２６４…ガラス板、
１００ａ…球受けレール、１００ｂ…駆動機構、１６１、２６１…保持枠、
１６１ａ、２６１ａ、２６３ｃ、２６３ｄ…上壁、１６１ｂ、２６１ｂ…右壁、
１６１ｃ、２６１ｃ…左壁、１６１ｄ…下壁、１６１ｇ、２６１ｇ…捩りばね、
２６３ｉ…上側突出壁、２６３ｋ…下側突出壁、２７２…ラック、
２７２ａ…下側帯状歯部、２７２ｈ…上側帯状歯部、２７１、２８１…ピニオン、
２７２ｃ、２８２、２９０Ｂ…左右方向ラック、２８２ｂ…帯状歯部、
２９０Ａ…案内壁、２６３ｈ、２６３ｊ、２９１、２９２…傾斜面。
【図１】
0005631104.tif 000002
【図２】
0005631104.tif 000003
【図３】
0005631104.tif 000004
【図４】
0005631104.tif 000005
【図５】
0005631104.tif 000006
【図６】
0005631104.tif 000007
【図７】
0005631104.tif 000008
【図８】
0005631104.tif 000009
【図９】
0005631104.tif 000010
【図１０】
0005631104.tif 000011
【図１１】
0005631104.tif 000012
【図１２】
0005631104.tif 000013
【図１３】
0005631104.tif 000014
【図１４】
0005631104.tif 000015
【図１５】
0005631104.tif 000016
【図１６】
0005631104.tif 000017
【図１７】
0005631104.tif 000018
【図１８】
0005631104.tif 000019
【図１９】
0005631104.tif 000020
【図２０】
0005631104.tif 000021
【図２１】
0005631104.tif 000022
【図２２】
0005631104.tif 000023
【図２３】
0005631104.tif 000024
【図２４】
0005631104.tif 000025
【図２５】
0005631104.tif 000026
【図２６】
0005631104.tif 000027
【図２７】
0005631104.tif 000028
【図２８】
0005631104.tif 000029
【図２９】
0005631104.tif 000030
【図３０】
0005631104.tif 000031
【図３１】
0005631104.tif 000032
【図３２】
0005631104.tif 000033
【図３３】
0005631104.tif 000034
【図３４】
0005631104.tif 000035
【図３５】
0005631104.tif 000036
【図３６】
0005631104.tif 000037
【図３７】
0005631104.tif 000038
【図３８】
0005631104.tif 000039
【図３９】
0005631104.tif 000040
【図４０】
0005631104.tif 000041
【図４１】
0005631104.tif 000042
【図４２】
0005631104.tif 000043
【図４３】
0005631104.tif 000044
【図４４】
0005631104.tif 000045
【図４５】
0005631104.tif 000046
【図４６】
0005631104.tif 000047
【図４７】
0005631104.tif 000048
【図４８】
0005631104.tif 000049
【図４９】
0005631104.tif 000050
【図５０】
0005631104.tif 000051
【図５１】
0005631104.tif 000052
【図５２】
0005631104.tif 000053
【図５３】
0005631104.tif 000054
【図５４】
0005631104.tif 000055
【図５５】
0005631104.tif 000056
【図５６】
0005631104.tif 000057